(57)【特許請求の範囲】
【請求項１】
データ伝送方法であって、
受信側装置が時間ユニットでデータの第一の部分と少なくとも一つの第二の部分を受信することであって、ここで、前記第一の部分に対して第一の変調符号化処理を実行し、前記少なくとも一つの第二の部分に対して第二の変調符号化処理を実行し、前記第一の部分は、複数の個別に符号化されたサブコードブロックを含み、前記第二の部分は、少なくとも一つの個別に符号化されたサブコードブロックを含み、前記第一の部分により占有される時間ユニットの数が、前記少なくとも一つの第二の部分により占有される時間ユニットの数より大きい、ことと、
前記受信側装置が前記第一の部分と前記少なくとも一つの第二の部分を復調することとを含むことを特徴とする、前記データ伝送方法。
【請求項２】
前記時間ユニットがＮ個の時間領域シンボルを占有し、前記Ｎ個の時間領域シンボルの先頭のＬ個の時間領域シンボルが前記第一の部分を伝送するように用いられ、前記Ｎ個の時間領域シンボルの後のＫ個の時間領域シンボルが前記少なくとも一つの第二の部分を伝送するように用いられ、ここで、Ｎが１より大きい正整数であり、ＬがＮ以下の正整数であり、ＫがＮ以下の正整数であることを特徴とする
請求項１に記載のデータ伝送方法。
【請求項３】
前記第一の変調符号化処理と前記第二の変調符号化処理には異なる符号化方式、及び／又は異なる変調方式、及び／又は異なる符号化レートが用いられることを特徴とする
請求項１又は２に記載のデータ伝送方法。
【請求項４】
前記第二の変調符号化処理のための変調レベルは、前記第一の変調符号化処理のための変調レベル以下であり、及び／又は、
前記第二の変調符号化処理のための符号化レートは、前記第一の変調符号化処理のための符号化レート以下であることを特徴とする
請求項１−３のいずれか一項に記載のデータ伝送方法。
【請求項５】
前記少なくとも一つの第二の部分における各コードブロックのサイズが第一の閾値以下であることを特徴とする
請求項１−４のいずれか一項に記載のデータ伝送方法。
【請求項６】
前記データ伝送方法はさらに、
前記少なくとも一つの第二の部分におけるターゲットコードブロックのサイズが第二の閾値より大きい場合、前記受信側装置が前記ターゲットコードブロックを複数のサブブロックに分割することであって、ここで、前記複数のサブコードブロックにおける各サブコードブロックのサイズが前記第二の閾値以下であることを含むことを特徴とする
請求項１−５のいずれか一項に記載のデータ伝送方法。
【請求項７】
前記受信側装置が端末装置である場合、前記データ伝送方法はさらに、
前記端末装置がネットワーク装置へ能力情報を送信することであって、前記能力情報が、前記端末装置が前記時間ユニットで伝送されたデータを前記第一の部分と前記少なくとも一つの第二の部分に分割して伝送することをサポートすることを示すことに用いられることを含むことを特徴とする
請求項１−６のいずれか一項に記載のデータ伝送方法。
【請求項８】
前記受信側装置が端末装置である場合、前記データ伝送方法はさらに、
前記端末装置がネットワーク装置から送信された通知メッセージを受信することであって、前記通知メッセージが前記第一の部分のコードブロックサイズと前記少なくとも一つの第二の部分のコードブロックサイズを確定することに用いられることを含むことを特徴とする
請求項１−７のいずれか一項に記載のデータ伝送方法。
【請求項９】
前記受信側装置が端末装置である場合、前記データ伝送方法はさらに、
前記端末装置がネットワーク装置から送信された第一のシグナリングを受信することであって、前記第一のシグナリングが前記第一の変調符号化処理に対応する変調符号化レベルを示すことに用いられることと、
前記端末装置が前記第一のシグナリングに応じて、前記第二の変調符号化処理に対応する変調符号化レベルを確定すること、又は、
前記端末装置が前記第一のシグナリングに応じて、前記第二の変調符号化処理に対応する変調方式及び／又は符号化レートを確定することとを含むことを特徴とする
請求項１−８のいずれか一項に記載のデータ伝送方法。
【請求項１０】
前記第一の部分に占有された前記Ｌ個の時間領域シンボルと前記少なくとも一つの第二の部分に占有された前記Ｋ個の時間領域シンボルの和が前記時間ユニットに占有された前記Ｎ個の時間領域シンボルであり、
又は、前記第一の部分に占有された前記Ｌ個の時間領域シンボルと前記少なくとも一つの第二の部分に占有された前記Ｋ個の時間領域シンボルの和が前記時間ユニットに占有された前記Ｎ個の時間領域シンボルに一つの時間領域シンボルを加えたものであり、ここで、前記Ｌ個の時間領域シンボルの最後の時間領域シンボルと前記Ｋ個の時間領域シンボルの１番目の時間領域シンボルが同じ時間領域シンボルであることを特徴とする
請求項２に記載のデータ伝送方法。
【請求項１１】
前記受信側装置が端末装置であり、前記データ伝送方法はさらに、
前記端末装置がネットワーク装置から送信された、前記Ｋの値、及び／又は前記少なくとも一つの第二の部分の総数を示すための第二のシグナリングを受信することを含むことを特徴とする
請求項２又は１０に記載のデータ伝送方法。
【請求項１２】
第一の周波数領域リソースが前記第一の部分を伝送するように用いられ、及び第二の周波数領域リソースが前記少なくとも第二の部分を伝送するように用いられ、ここで、前記第一の周波数領域リソースが前記第二の周波数領域リソースと異なることを特徴とする
請求項１に記載のデータ伝送方法。
【請求項１３】
前記データの前記第一の部分に対して符号化する前にインターリーブ処理を行い、及び／又は、前記データの前記第一の部分に対して符号化した後にインターリーブ処理を行うことを特徴とする
請求項１−１２のいずれか一項に記載のデータ伝送方法。
【請求項１４】
受信側装置であって、
時間ユニットでデータの第一の部分と少なくとも一つの第二の部分を受信するように構成される受信モジュールであって、ここで、前記第一の部分に対して第一の変調符号化処理を実行し、前記少なくとも一つの第二の部分に対して第二の変調符号化処理を実行し、前記少なくとも一つの第二の部分に対して第二の変調符号化処理を実行し、前記第一の部分は、複数の個別に符号化されたサブコードブロックを含み、前記第二の部分は、少なくとも一つの個別に符号化されたサブコードブロックを含み、前記第一の部分により占有される時間ユニットの数が、前記少なくとも一つの第二の部分により占有される時間ユニットの数より大きい、受信モジュールと、
前記第一の部分と前記少なくとも一つの第二の部分を復調するように構成される処理モジュールとを備えることを特徴とする、前記受信側装置。
【請求項１５】
前記時間ユニットがＮ個の時間領域シンボルを占有し、前記Ｎ個の時間領域シンボルの先頭のＬ個の時間領域シンボルが前記第一の部分を伝送するように用いられ、前記Ｎ個の時間領域シンボルの後のＫ個の時間領域シンボルが少なくとも前記第二の部分を伝送するように用いられ、ここで、Ｎが１より大きい正整数であり、ＬがＮ以下の正整数であり、ＫがＮ以下の正整数であることを特徴とする
請求項１４に記載の受信側装置。
【請求項１６】
前記第一の変調符号化処理と前記第二の変調符号化処理には異なる符号化方式、及び／又は異なる変調方式、及び／又は異なる符号化レートが用いられることを特徴とする
請求項１４又は１５に記載の受信側装置。
【請求項１７】
前記第二の変調符号化処理のための変調レベルは前記第一の変調符号化処理のための変調レベル以下であり、及び／又は、
前記第二の変調符号化処理のための符号化レートは、前記第一の変調符号化処理のための符号化レート以下であることを特徴とする
請求項１４−１６のいずれか一項に記載の受信側装置。
【請求項１８】
前記少なくとも一つの第二の部分における各コードブロックのサイズが第一の閾値以下であることを特徴とする
請求項１４−１７のいずれか一項に記載の受信側装置。
【請求項１９】
前記処理モジュールはさらに、
前記少なくとも一つの第二の部分におけるターゲットコードブロックのサイズが第二の閾値より大きい場合、前記ターゲットコードブロックを複数のサブブロックに分割するように構成され、ここで、前記複数のサブコードブロックにおける各サブコードブロックのサイズが前記第二の閾値以下であることを特徴とする
請求項１４−１８のいずれか一項に記載の受信側装置。
【請求項２０】
前記受信側装置はさらに、
ネットワーク装置へ能力情報を送信するように構成される送信モジュールを備え、前記能力情報が、前記受信側装置が前記時間ユニットで伝送されたデータを前記第一の部分と前記少なくとも一つの第二の部分に分割して伝送することをサポートすることを示すことに用いられることを特徴とする
請求項１４−１９のいずれか一項に記載の受信側装置。
【請求項２１】
前記受信モジュールはさらに、
ネットワーク装置から送信された通知メッセージを受信するように構成され、前記通知メッセージが第一の部分のコードブロックサイズと前記少なくとも一つの第二の部分のコードブロックサイズを確定することに用いられることを特徴とする
請求項１４−２０のいずれか一項に記載の受信側装置。
【請求項２２】
前記受信モジュールはさらに、
ネットワーク装置から送信された第一のシグナリングを受信するように構成され、前記第一のシグナリングが前記第一の変調符号化処理に対応する変調符号化レベルを示すことに用いられることを特徴とする
請求項１４−２１のいずれか一項に記載の受信側装置。
【請求項２３】
前記第一の部分に占有された前記Ｌ個の時間領域シンボルと前記少なくとも一つの第二の部分に占有された前記Ｋ個の時間領域シンボルの和が前記時間ユニットに占有された前記Ｎ個の時間領域シンボルであり、
又は、Ｌ＋Ｋ＝Ｎ＋１であり、ここで、前記Ｌ個の時間領域シンボルの最後の時間領域シンボルと前記Ｋ個の時間領域シンボルの１番目の時間領域シンボルが同じ時間領域シンボルであることを特徴とする
請求項１５に記載の受信側装置。
【請求項２４】
前記受信モジュールはさらに、
ネットワーク装置から送信された、前記Ｋの値、及び／又は前記少なくとも一つの第二の部分の総数を示すための第二のシグナリングを受信するように構成されることを特徴とする
請求項１５又は２３に記載の受信側装置。
【請求項２５】
前記第一の部分が第一の周波数領域リソースを占有して伝送され、及び前記少なくとも一つの第二の部分が第二の周波数領域リソースを占有して伝送され、ここで、前記第一の周波数領域リソースが前記第二の周波数領域リソースと異なることを特徴とする
請求項１４−２４のいずれか一項に記載の受信側装置。
【請求項２６】
前記データの前記第一の部分に対して符号化する前にインターリーブ処理を行い、及び／又は、前記データの前記第一の部分に対して符号化した後にインターリーブ処理を行うことを特徴とする
請求項１４−２５のいずれか一項に記載の受信側装置。
【発明の詳細な説明】
【技術分野】
【０００１】
本発明は通信分野に関し、且つより具体的には、データ伝送方法、受信側装置及び送信側装置に関する。
【背景技術】
【０００２】
従来の長期進化型（ＬＴＥ：Ｌｏｎｇ  Ｔｅｒｍ  Ｅｖｏｌｕｔｉｏ）システムでは、一つの伝送ブロック（ＴＢ：Ｔｒａｎｓｐｏｒｔ  Ｂｌｏｃｋ）に対して同じ符号化方式、同じ変調符号化レベルを用い、インターリーブ処理を実行した後に一つのサブフレーム内の物理リソースブロック（ＰＲＢ：Ｐｈｙｓｉｃａｌ  Ｒｅｓｏｕｒｃｅ  Ｂｌｏｃｋ）にマッピングする。受信側は、サブフレーム内の全ての時間領域シンボルを完全に受信した後のみ復調を開始することができる。復調、復号などの処理にある程度の時間がかかるため、フィードバック情報は後のサブフレームで送信される必要があり、ＬＴＥにおける処理時間領域は４ミリ秒（ｍｓ）である。
【０００３】
第５世代移動通信技術（５Ｇ）システムでは、超高信頼性及び超低遅延通信のようなより多くのサービスタイプが登場し、該タイプのサービスは受信側が迅速にフィードバックすることができることを要求し、極端な場合、現在の時間ユニット内のデータに対応するフィードバック情報が現在の時間ユニット内でフィードバックされる必要があることを要求し、従来技術により復調する時にある程度の時間待つ必要があり、スペクトル効率が低く、該タイプのサービスのニーズを満たすことができなく、したがって、この問題に対する解決策を提案する必要がある。
【発明の概要】
【発明が解決しようとする課題】
【０００４】
本発明の実施例は、スペクトル効率を向上させ、それによって高速復調を実現することができるデータ伝送方法、受信側装置及び送信側装置を提供する。
【課題を解決するための手段】
【０００５】
第一の態様によるデータ伝送方法は、
受信側装置が時間ユニットでデータの第一の部分と少なくとも一つの第二の部分を受信することであって、ここで、該第一の部分に対して第一の変調符号化処理を実行し、該少なくとも一つの第二の部分に対して第二の変調符号化処理を実行することと、
該受信側装置が該第一の部分と該少なくとも一つの第二の部分を復調することとを含む。
【０００６】
本発明の実施例では、受信側装置が時間ユニットでデータの第一の部分と少なくとも一つの第二の部分を受信し、ここで、該第一の部分に対して第一の変調符号化処理を実行し、該少なくとも一つの第二の部分に対して第二の変調符号化処理を実行し、該第一の部分と該少なくとも一つの第二の部分を復調することにより、スペクトル効率を向上させ、それによって高速復調を実現することができる。
【０００７】
選択可能に、該時間ユニットは一つの伝送ブロック（ＴＢ：Ｔｒａｎｓｐｏｒｔ  Ｂｌｏｃｋ）に占有された時間ユニットとして理解されてもよく、該伝送ブロックが第一の部分（又は第一のコードブロック部分と呼ばれ、以下に示される第一のコードブロック部分が該第一の部分である）と少なくとも一つの第二の部分（又は第二のコードブロック部分と呼ばれ、以下に示される第二のコードブロック部分が該第二の部分である）に分割されてデータ伝送を行う。例えば、該時間ユニットは信号を伝送するための時間領域物理リソースの基本単位であってもよく、具体的にサブフレーム、伝送時間間隔（ＴＴＩ：Ｔｒａｎｓｍｉｓｓｉｏｎ  Ｔｉｍｅ  Ｉｎｔｅｒｖａｌ）、タイムスロット、直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル又はリソースユニット（ＲＥ：Ｒｅｓｏｕｒｃｅ  Ｅｌｅｍｅｎｔ）などであってもよく、これに限定されない。
【０００８】
選択可能に、該受信側装置は端末装置又はネットワーク装置であってもよく、ここで端末装置を例として説明する。
【０００９】
本発明の実施例では、少なくとも一つの第二の部分は一つ又は複数のコードブロック部分（即ち第二のコードブロック部分）であってもよく、コードブロックの数が限定されない。
【００１０】
いくつかの可能な実施形態では、該時間ユニットがＮ個の時間領域シンボルを占有し、該第一のコードブロック部分が該Ｎ個の時間領域シンボルの先頭のＬ個の時間領域シンボルを占有し、該少なくとも一つの第二のコードブロック部分が該Ｎ個の時間領域シンボルの後のＫ個の時間領域シンボルを占有し、ここで、Ｎが１より大きい正整数であり、ＬがＮ以下の正整数であり、ＫがＮ以下の正整数である。
【００１１】
選択可能に、本発明の実施例では、端末装置は伝送ブロックを第一のコードブロック部分と少なくとも一つの第二のコードブロック部分に分割し、ここで、該第一のコードブロック部分が第一の変調符号化処理に用いられ、該少なくとも一つの第二のコードブロック部分が第二の変調符号化処理に用いられ、ここで、該伝送ブロックがＮ個の時間領域シンボルを占有し、該第一のコードブロック部分が該Ｎ個の時間領域シンボルの先頭のＬ個の時間領域シンボルを占有し、該少なくとも一つの第二のコードブロック部分が該Ｎ個の時間領域シンボルの後のＫ個の時間領域シンボルを占有し、Ｎ個の時間領域シンボルで該第一のコードブロック部分と該少なくとも一つの第二のコードブロック部分を伝送することにより、スペクトル効率を向上させ、それによって高速復調を実現することができる。
【００１２】
選択可能に、一つの実施例として、該第一の部分に占有された該Ｌ個の時間領域シンボルと該少なくとも一つの第二の部分に占有された該Ｋ個の時間領域シンボルの和が該時間ユニットに占有された該Ｎ個の時間領域シンボルであり、
又は、該第一の部分に占有された該Ｌ個の時間領域シンボルと該少なくとも一つの第二の部分に占有された該Ｋ個の時間領域シンボルの和が該時間ユニットに占有された該Ｎ個の時間領域シンボルに一つの時間領域シンボルを加えたものであり、ここで、該Ｌ個の時間領域シンボルの最後の時間領域シンボルと該Ｋ個の時間領域シンボルの１番目の時間領域シンボルが同じ時間領域シンボルである。
【００１３】
例えば、具体的に実施する時に、ＬとＫの和がＮであってもよく、又はＬとＫの和もＮ＋１であってもよい。
【００１４】
選択可能に、第一のコードブロック部分と少なくとも一つの第二のコードブロック部分は個別に符号化される。
【００１５】
本発明の実施例では、第一のコードブロック部分に対して複雑な符号化、インターレースなどの処理方式を用いることができ、第一のコードブロック部分の復調性能が少なくとも一つの第二のコードブロック部分よりも優れる。
【００１６】
いくつかの可能の実施形態では、該第一の変調符号化処理と該第二の変調符号化処理には異なる符号化方式、及び／又は異なる変調方式、及び／又は異なる符号化レートが用いられる。
【００１７】
いくつかの実施形態では、該第二の変調符号化処理のための変調レベルは該第一の変調符号化処理のための変調レベル以下であり、及び／又は、
該第二の変調符号化処理のための符号化レートは、該第一の変調符号化処理のための符号化レート以下である。
【００１８】
ここで、第一のコードブロック部分に対して複雑さが高い符号化、インターリーブ方式を用い、第二のコードブロック部分に対して簡単な符号化処理を実行するので、第二のコードブロック部分の復調性能が第一のコードブロック部分と類似であることを保証するために、第二のコードブロック部分の符号化レート及び／又は変調符号化レベルを適切に下げることができる。
【００１９】
選択可能に、本発明の実施例では、第一のコードブロック部分に対してチャネル符号化を行った後にコードブロック間のインターリーブ、時間領域インターリーブなどの方式を含むインターリーブ処理を行うことができ、少なくとも一つの第二のコードブロック部分に対してチャネル符号化を実行した後にインターリーブ処理を行わない。
【００２０】
選択可能に、該データの該第一の部分に対して符号化する前にインターリーブ処理を行うことができ、及び／又は、該データの該第一の部分に対して符号化した後にインターリーブ処理を行うこともでき、これに限定されない。
【００２１】
選択可能に、少なくとも一つの第二のコードブロックのリソースマッピング方式に対して周波数領域から時間領域までの方式を用いることができる。
【００２２】
選択可能に、該第一のコードブロック部分は複数のサブコードブロックを含むことができる。具体的には、第一のコードブロック部分はさらに複数のサブコードブロックに分割されてもよく、複数のサブコードブロックが個別に符号化される。このようにして、端末装置はパラレルデコーダを用いて高速復号を実現することができる。
【００２３】
いくつかの可能な実施形態では、該受信側装置が端末装置である場合、該方法はさらに、
該端末装置がネットワーク装置から送信された、該第一の変調符号化処理に対応する変調符号化レベルを示すための第一のシグナリングを受信することと、
該端末装置が該第一のシグナリングに応じて、該第二の変調符号化処理に対応する変調符号化レベルを確定すること、又は、
該端末装置が該第一のシグナリングに応じて、該第二の変調符号化処理に対応する変調方式及び／又は符号化レートを確定することを含むことができる。
【００２４】
ここで、端末装置はネットワーク装置から送信された第一のシグナリングを受信し、それによって少なくとも一つの第二のコードブロック部分のための変調符号化レベルを確定することができる。
【００２５】
選択可能に、本発明の実施例では、第一のシグナリングはネットワーク装置から端末装置に送信された構成シグナリングであってもよい。
【００２６】
いくつかの可能な実施形態では、該受信側装置が端末装置である場合、該方法はさらに、
該端末装置がネットワーク装置から送信された、該Ｋの値、及び／又は該少なくとも一つの第二の部分の総数を示すための第二のシグナリングを受信することを含むことができる。
【００２７】
選択可能に、本発明の実施例では、第二のシグナリングは、直接Ｋの値を示すことができ、間接的にＫの値を示すこともできる。例えば、選択可能に、第二のシグナリングはさらに該少なくとも一つの第二のコードブロック部分に占有されたリソースユニット（ＲＥ）数、又は該少なくとも一つの第二のコードブロック部分に占有されたリソースユニット（ＲＥ）数のＲＥ総数での割合を示すことに用いられてもよく、端末装置はＲＥ数情報に基づいてＫの値を間接的に取得することができる。
【００２８】
選択可能に、本発明の実施例では、該第二のシグナリングはネットワーク装置から端末装置に送信された構成シグナリング、例えばダウンリンク制御情報（ＤＣＩ：Ｄｏｗｎｌｉｎｋ  Ｃｏｎｔｒｏｌ  Ｉｎｆｏｒｍａｔｉｏｎ）シグナリングであってもよい。
【００２９】
本発明の実施例では、Ｋの値がネットワーク装置によって設定されてもよく、又はプロトコルによって規定されてもよく、これに限定されない。
【００３０】
いくつかの可能な実施形態では、該第一の部分が第一の周波数領域リソースを占有して伝送され、及び該少なくとも一つの第二の部分が第二の周波数領域リソースを占有して伝送され、ここで、該第一の周波数領域リソースが該第二の周波数領域リソースと異なる。具体的には、該第一のコードブロック部分が該Ｌ個の時間領域シンボルにおける第一の周波数領域リソースにマッピングされ、及び該少なくとも一つの第二のコードブロック部分が該Ｋ個の時間領域シンボルにおける第二の周波数領域リソースにマッピングされ、該第一の周波数領域リソースが該第二の周波数領域リソースと異なる。
【００３１】
選択可能に、本発明の実施例では、該少なくとも一つの第二のコードブロック部分における各第二のコードブロック部分の伝送ブロックサイズ（ＴＢＳ：Ｔｒａｎｓｐｏｒｔ  Ｂｌｏｃｋ  Ｓｉｚｅ）が第一の閾値以下である。
【００３２】
選択可能に、該第一の閾値はネットワーク装置によって設定されてもよく、又はプロトコルによって規定されてもよい。
【００３３】
ここで、第一の閾値を導入し、第二のコードブロック部分のＴＢＳ上限を規定することにより、第二のコードブロック部分の高速復調が可能であることが保証される。
【００３４】
いくつかの可能な実施形態では、該方法２００はさらに、
該少なくとも一つの第二の部分におけるターゲットコードブロックのサイズが第二の閾値より大きい場合、該受信側装置が該ターゲットコードブロックを複数のサブブロックに分割することであって、ここで、該複数のサブコードブロックにおける各サブコードブロックのサイズが該第二の閾値以下であり、該複数のサブコードブロックにおける各サブコードブロックが個別に符号化されることを含む。
【００３５】
言い換えれば、該少なくとも一つの第二のコードブロック部分における一つの第二のコードブロック部分の伝送ブロックサイズ（ＴＢＳ）が第二の閾値より大きい場合、該一つの第二のコードブロック部分を複数のサブコードブロックに分割し、ここで、該複数のサブコードブロックにおける各サブコードブロックのＴＢＳが該第二の閾値以下である。
【００３６】
選択可能に、該第二の閾値はネットワーク装置によって設定されてもよく、又はプロトコルによって規定されてもよい。
【００３７】
端末装置は第二のコードブロック部分を複数のサブコードブロックに分割し、パラレルデコーダを用いて復号し、高速復号を実現する。
【００３８】
選択可能に、第一のコードブロック部分は複数のサブコードブロックに分割されてもよいし、高速復号を実現することに用いられてもよい。
【００３９】
いくつかの可能な実施形態では、該方法はさらに、
ネットワーク装置へ能力情報を送信することであって、該能力情報が、端末装置が該時間ユニットで伝送されたデータ（対応する伝送ブロック）を該第一のコードブロック部分と該少なくとも一つの第二のコードブロック部分に分割して伝送することをサポートすることを示すことに用いられることを含むことができる。
【００４０】
このようにして、ネットワーク装置は端末装置の能力情報を取得することができるので、関連する命令を送信することができる。
【００４１】
いくつかの可能な実施形態では、該方法はさらに、
ネットワーク装置から送信された通知メッセージを受信することであって、該通知メッセージが第一のコードブロック部分と該少なくとも一つの第二のコードブロック部分を確定するために端末装置によって用いられることを含むことができる。
【００４２】
例えば、該通知メッセージが該伝送ブロックの伝送ブロックサイズ（ＴＢＳ）と該第一のコードブロック部分のＴＢＳを含み、
該ネットワーク装置から送信された該伝送ブロックのＴＢＳと該第一のコードブロック部分のＴＢＳ、及びプリセットルールに基づき、該少なくとも一つの第二のコードブロック部分のＴＢＳを確定する。
【００４３】
例えば、該通知メッセージが該伝送ブロックの伝送ブロックサイズ（ＴＢＳ）と該少なくとも一つの第二のコードブロック部分のＴＢＳを含み、
該ネットワーク装置から送信された該伝送ブロックのＴＢＳと少なくとも一つの第二のコードブロック部分のＴＢＳ、及びプリセットルールに基づき、該少なくとも一つの第一のコードブロック部分のＴＢＳを確定する。
【００４４】
例えば、該通知メッセージが該伝送ブロックの伝送ブロックサイズ（ＴＢＳ）を含み、
該ネットワーク装置から送信された該伝送ブロックのＴＢＳとプリセットルールに基づき、該第一のコードブロック部分のＴＢＳと該少なくとも一つの第二のコードブロック部分のＴＢＳを確定する。
【００４５】
例えば、該通知メッセージが該第一のコードブロック部分の伝送ブロックサイズ（ＴＢＳ）と該少なくとも一つの第二のコードブロック部分のＴＢＳを含む。
【００４６】
本発明の実施例では、該プリセットルールは該伝送ブロックのＴＢＳ、第一のコードブロック部分のＴＢＳ、及び該少なくとも一つの第二のコードブロック部分のＴＢＳの間のサイズ関係を指すことができる。例えば、該プリセットルールは、該伝送ブロックのＴＢＳが該第一のコードブロック部分のＴＢＳと該少なくとも一つの第二のコードブロック部分のＴＢＳの和であることを定めることができ、これに限定されない。
【００４７】
本発明の実施例では、該プリセットルールはネットワーク装置と端末装置によって予め定められてもよく、又はプロトコルによって規定されてもよく、以下に示されるプリセットルールは同様である。
【００４８】
したがって、端末装置はネットワーク装置から送信された通知メッセージに基づき、プリセットルールと組み合わせ、第一のコードブロック部分と少なくとも一つの第二のコードブロック部分を確定することができる。
【００４９】
第二の態様によるデータ伝送方法は、
送信側装置が時間ユニットでデータの第一の部分と少なくとも一つの第二の部分を送信することであって、ここで、該第一の部分に対して第一の変調符号化処理を実行し、該少なくとも一つの第二の部分に対して第二の変調符号化処理を実行することを含む。
【００５０】
本発明の実施例によるデータ伝送方法では、送信側装置は時間ユニットでデータの第一の部分と少なくとも一つの第二の部分を送信し、ここで、該第一の部分に対して第一の変調符号化処理を実行し、該少なくとも一つの第二の部分に対して第二の変調符号化処理を実行し、受信側装置が該第一の部分と該少なくとも一つの第二の部分を復調するようにすることにより、スペクトル効率を向上させ、それによって高速復調を実現することができる。
【００５１】
いくつかの可能な実施形態では、該時間ユニットがＮ個の時間領域シンボルを占有し、該第一のコードブロック部分が該Ｎ個の時間領域シンボルの先頭のＬ個の時間領域シンボルを占有し、該少なくとも一つの第二のコードブロック部分が該Ｎ個の時間領域シンボルの後のＫ個の時間領域シンボルを占有し、ここで、Ｎが１より大きい正整数であり、ＬがＮ以下の正整数であり、ＫがＮ以下の正整数である。
【００５２】
いかつかの可能な実施形態では、該第一の部分に占有された該Ｌ個の時間領域シンボルと該少なくとも一つの第二の部分に占有された該Ｋ個の時間領域シンボルの和が該時間ユニットに占有された該Ｎ個の時間領域シンボルであり、
又は、該第一の部分に占有された該Ｌ個の時間領域シンボルと該少なくとも一つの第二の部分に占有された該Ｋ個の時間領域シンボルの和が該時間ユニットに占有された該Ｎ個の時間領域シンボルに一つの時間領域シンボルを加えたものであり、ここで、該Ｌ個の時間領域シンボルの最後の時間領域シンボルと該Ｋ個の時間領域シンボルの１番目の時間領域シンボルが同じ時間領域シンボルである。
【００５３】
例えば、具体的に実施する時に、ＬとＫの和がＮであってもよく、又はＬとＫの和もＮ＋１であってもよい。
【００５４】
いくつかの可能な実施形態では、該第一の変調符号化処理と該第二の変調符号化処理には異なる符号化方式、及び／又は異なる変調方式、及び／又は異なる符号化レートが用いられる。
【００５５】
いくつかの可能な実施形態では、該第二の変調符号化処理のための変調レベルは、該第一の変調符号化処理のための変調レベル以下であり、及び／又は、
該第二の変調符号化処理のための符号化レートは、該第一の変調符号化処理のための符号化レート以下である。
【００５６】
いくつかの可能な実施形態では、該少なくとも一つの第二の部分における各コードブロックのサイズが第一の閾値以下である。
【００５７】
いくつかの可能な実施形態では、該方法はさらに、
該少なくとも一つの第二の部分のターゲットコードブロックのサイズが第二の閾値より大きい場合、該送信側装置が該ターゲットコードブロックを複数のサブブロックに分割することであって、ここで、該複数のサブコードブロックにおける各サブコードブロックのサイズが該第二の閾値以下であり、該複数のサブコードブロックにおける各サブコードブロックが個別に符号化されることを含むことができる。
【００５８】
いくつかの可能な実施形態では、該第一の部分に対応するコードブロックは複数のサブコードブロックを含み、該複数のサブコードブロックにおける各サブコードブロックが個別に符号化される。
【００５９】
選択可能に、いくつかの可能な実施形態では、該方法はさらに、
通知メッセージを確定することであって、該通知メッセージが伝送ブロックの第一のコードブロック部分と少なくとも一つの第二のコードブロック部分を確定するために端末装置によって用いられることと、
該端末装置へ通知メッセージを送信し、該通知メッセージが該第一の部分のコードブロックサイズと該少なくとも一つの第二の部分のコードブロックサイズを確定するために該端末装置によって用いられることとを含む。
【００６０】
いくつかの可能な実施形態では、該通知メッセージは該伝送ブロックの伝送ブロックサイズ（ＴＢＳ）と該第一のコードブロック部分のＴＢＳを含む。
【００６１】
いくつかの可能な実施形態では、該通知メッセージは該伝送ブロックの伝送ブロックサイズ（ＴＢＳ）と該少なくとも一つの第二のコードブロック部分のＴＢＳを含む。
【００６２】
いくつかの可能な実施形態では、該通知メッセージは該伝送ブロックの伝送ブロックサイズ（ＴＢＳ）を含む。
【００６３】
いくつかの可能な実施形態では、該通知メッセージは該第一のコードブロック部分の伝送ブロックサイズ（ＴＢＳ）と該少なくとも一つの第二のコードブロック部分のＴＢＳを含む。
【００６４】
ネットワーク装置は端末装置へ通知メッセージを送信することができ、これにより端末装置は該通知メッセージとプリセットルールに基づき、第一のコードブロック部分のＴＢＳと第二のコードブロック部分のＴＢＳを確定することができる。
【００６５】
いくつかの可能な実施形態では、該方法はさらに、
該ネットワーク装置が端末装置から送信された能力情報を受信することであって、該能力情報が、該端末装置が該時間ユニットで伝送されたデータを該第一の部分と該少なくとも一つの第二の部分に分割して伝送することをサポートすることを示すことに用いられることを含むことができる。
【００６６】
ネットワーク装置は端末装置によって報告された能力情報を受信し、関連する操作を行うことができる。又は、ネットワーク装置は該能力情報と組み合わせずに端末装置へ通知メッセージを直接送信することもでき、これに限定されない。
【００６７】
いくつかの可能な実施形態では、該方法はさらに、
該端末装置へ第一のシグナリングを送信することであって、該第一のシグナリングが該第一の変調符号化処理に対応する変調符号化レベルを示すことに用いられることを含むことができる。
【００６８】
ここで、端末装置が第二の変調符号化処理のための変調符号化レベルを確定するように、ネットワーク装置は端末装置へシグナリング（例えば第一のシグナリング）を送信し、第一の変調符号化処理のための変調符号化レベルをシグナリングにより示すことができる。
【００６９】
いくつかの可能な実施形態では、該方法はさらに、
該端末装置へ第二のシグナリングを送信することであって、該第二のシグナリングが該Ｋの値、及び又は該少なくとも一つの第二のコードブロック部分の総数を示すことに用いられることを含むことができる。
【００７０】
選択可能に、第二のシグナリングはさらに該少なくとも一つの第二のコードブロック部分に占有されたリソースユニット（ＲＥ）数、又は該少なくとも一つの第二のコードブロックに占有されたリソースユニット（ＲＥ）数のＲＥ総数での割合を示すことに用いられてもよく、端末装置はＲＥ数情報に基づいてＫの値を間接的に取得することができる。
【００７１】
ここで、ネットワーク装置は端末装置へシグナリング（例えば第二のシグナリング）を送信し、Ｋの値をシグナリングにより直接又は間接的に示すことができ、これにより端末装置は該Ｋの値に基づいて少なくとも一つの第二のコードブロック部分を確定することができる。
【００７２】
選択可能に、一つの実施例として、該第一の部分が第一の周波数領域リソースを占有して伝送され、及び該少なくとも一つの第二の部分が第二の周波数領域リソースを占有して伝送され、ここで、該第一の周波数領域リソースが該第二の周波数領域リソースと異なる。
【００７３】
選択可能に、一つの実施例として、該データの該第一の部分に対して符号化する前にインターリーブ処理を行い、及び／又は、該データの該第一の部分に対して符号化した後にインターリーブ処理を行う。
【００７４】
第三の態様による受信側装置は上記第一の態様又は第一の態様のいずれかの可能な実施形態における方法を実行することに用いられる。具体的には、該装置は上記第一の態様又は第一の態様のいずれかの可能な実施形態における方法を実行するためのユニットを備える。
【００７５】
第四の態様による送信側装置は、上記第二の態様又は第二の態様のいずれかの可能な実施形態における方法を実行することに用いられる。具体的には、該装置は上記第二の態様又は第二の態様のいずれかの可能な実施形態における方法を実行するためのユニットを備える。
【００７６】
第五の態様による受信側装置は、プロセッサ、メモリ及び通信インタフェースを備える。プロセッサとメモリは通信インタフェースに接続される。メモリは命令を記憶することに用いられ、プロセッサは該命令を実行することに用いられ、通信インタフェースはプロセッサの制御で他のネットワーク要素と通信することに用いられる。該プロセッサが該メモリに記憶された命令を実行する場合、該実行により該プロセッサは第一の態様又は第一の態様のいずれかの可能な実施形態における方法を実行する。
【００７７】
第六の態様による送信側装置は、プロセッサ、メモリ及び通信インタフェースを備える。プロセッサとメモリは通信インタフェースに接続される。メモリは命令を記憶することに用いられ、プロセッサは該命令を実行することに用いられ、通信インタフェースはプロセッサの制御で他のネットワーク要素と通信することに用いられる。該プロセッサが該メモリに記憶された命令を実行する場合、該実行により該プロセッサは第二の態様又は第二の態様のいずれかの可能な実施形態における方法を実行する。
【００７８】
第七の態様によるコンピュータ可読記憶媒体は、受信側装置に上記第一の態様、及びその様々な実施形態のいずれかのデータ伝送方法を実行させるためのプログラムを記憶する。
【００７９】
第八の態様によるコンピュータ可読記憶媒体は、受信側装置に上記第二の態様、及びその様々な実施形態のいずれかのデータ伝送方法を実行させるためのプログラムを記憶する。
【図面の簡単な説明】
【００８０】
【図１】応用シーンの概略図である。
【図２】本発明の実施例によるデータ伝送方法の概略フローチャートである。
【図３Ａ】本発明の実施例によるコードブロック部分の一例の概略図である。
【図３Ｂ】本発明の実施例によるコードブロック部分の他の例の概略図である。
【図３Ｃ】本発明の実施例によるコードブロック部分の他の例の概略図である。
【図３Ｄ】本発明の実施例によるコードブロック部分の他の例の概略図である。
【図４】本発明の他の実施例によるデータ伝送方法の概略フローチャートである。
【図５】本発明の実施例による受信側装置の概略ブロック図である。
【図６】本発明の実施例による送信側装置の概略ブロック図である。
【図７】本発明の他の実施例による受信側装置の構造図である。
【図８】本発明の他の実施例による送信側装置の構造図である。
【発明を実施するための形態】
【００８１】
本発明の実施例の技術的解決策をより明確に説明するために、実施例又は従来技術の説明に必要な図面を簡単に説明し、明らかに、以下に記載される図面が本発明のいくつかの実施例に過ぎず、当業者であれば、創造的な労力を要することなく、これらの図面に基づいて他の図面を得ることができる。
【００８２】
以下に本発明の実施例の図面を組み合わせながら、本発明の実施例における技術的解決策を明確に全面的に説明し、明らかに、説明される実施例は本発明の一部の実施例に過ぎず、全ての実施例ではない。本発明の実施例に基づき、当業者が創造的な労力を要せずに得た他の実施例は、全て本発明の保護範囲に属する。
【００８３】
理解すべきものとして、本発明の実施例の技術的解決策は様々な通信システム、例えばグローバルモバイル通信（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎ）システム、符号分割多元アクセス（ＣＤＭＡ：Ｃｏｄｅ  Ｄｉｖｉｓｉｏｎ  Ｍｕｌｔｉｐｌｅ  Ａｃｃｅｓｓ）システム、帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、長期進化型（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ  Ｓｙｓｔｅｍ）システム、ユニバーサル移動体通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）などの通信システム、特に将来の５Ｇシステムに応用されてもよい。
【００８４】
また、理解すべきものとして、本発明の実施例では、ネットワーク装置はネットワーク側装置又は基地局などと呼ばれてもよく、基地局はＧＳＭ又はＣＤＭＡにおける基地局（ＢＴＳ：Ｂａｓｅ  Ｔｒａｎｓｃｅｉｖｅｒ  Ｓｔａｔｉｏｎ）であってもよいし、ＷＣＤＭＡにおける基地局（ＮｏｄｅＢ）であってもよいし、またＬＴＥにおける進化型基地局（ｅＮＢ又はｅＮｏｄｅＢ：Ｅｖｏｌｕｔｉｏｎａｌ  Ｎｏｄｅ  Ｂ）、又は将来の５Ｇネットワークにおける基地局装置などであってもよく、本発明はこれに限定されない。
【００８５】
理解すべきものとして、本発明の実施例では、端末装置は無線アクセスネットワーク（ＲＡＮ：Ｒａｄｉｏ  Ａｃｃｅｓｓ  Ｎｅｔｗｏｒｋ）を介して一つ又は複数のコアネットワーク（Ｃｏｒｅ  Ｎｅｔｗｏｒｋ）と通信することができ、端末装置はアクセス端末、ユーザ装置（ＵＥ：Ｕｓｅｒ  Ｅｑｕｉｐｍｅｎｔ）、加入者ユニット、加入者局、移動サイト、遠隔局、遠隔端末、移動装置、ユーザ端末、端末、無線通信装置、ユーザエージェント又はユーザ装置と呼ばれてもよい。端末装置はセルラー電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、無線ローカルループ（ＷＬＬ：Ｗｉｒｅｌｅｓｓ  Ｌｏｃａｌ  Ｌｏｏｐ）サイト、パーソナルデジタル処理（ＰＤＡ：Ｐｅｒｓｏｎａ１  Ｄｉｇｉｔａ１  Ａｓｓｉｓｔａｎｔ：）、無線通信機能を備えたハンドヘルドデバイス、コンピューティングデバイス又は無線モデムに接続された他の処理装置、車載デバイス、ウェアラブルデバイス及び将来の５Ｇネットワークにおける端末装置などであってもよい。
【００８６】
図１はシーンの概略図である。理解を容易にするために、ここで図１のシーンを導入して例として説明するが、本発明に対する制限を構成しないことは理解すべきものである。図１に端末装置１１、端末装置１２、端末装置１３及び基地局２１が示される。
【００８７】
図１に示すように、端末装置１１は基地局２１と通信することができ、端末装置１２は基地局２１と通信することができ、端末装置１３は基地局２１と通信することができる。又は、端末装置１２は端末装置１１と通信することもできる。又は、別の状況として、端末装置１３は端末装置１２と通信する。ここで、端末装置は基地局と通信する時に、受信された信号に対して復調、復号などの処理を行い、そしてフィードバック情報を送信する。
【００８８】
しかしながら、従来技術では、データの伝送ブロックに対して同じ符号化方式、同じ変調符号化レベルを用いるため、端末装置は復調を開始する前に伝送ブロックの時間領域シンボルを完全に受信する必要がある。５Ｇシステムでは超高信頼性及び超低遅延通信（ＵＲＬＬＣ：Ｕｌｔｒａ  Ｒｅｌｉａｂｌｅ  ＆  Ｌｏｗ  Ｌａｔｅｎｃｙ  Ｃｏｍｍｕｎｉｃａｔｉｏｎ）をサポートする必要があり、該タイプのサービスは受信側が迅速にフィードバックすることができることを要求し、従来技術の処理方式によりデータの高速復調を実現することができない。したがって、本特許における端末装置又はネットワーク装置はデータの伝送ブロックを第一の部分と少なくとも一つの第二の部分に分割することを図り、第一の部分と少なくとも一つの第二の部分が個別に符号化されるため、スペクトル効率を向上させ、それによって高速復調を実現することができる。
【００８９】
図２は本発明の実施例によるデータ伝送方法２００の概略フローチャートである。該方法２００は受信側装置によって実行されてもよく、該受信側装置は端末装置又はネットワーク装置であってもよい。ここで端末装置を例として説明し、例えば、該端末装置は図１における端末装置１１、端末装置１２又は端末装置１３であってもよい。図２に示すように、該方法２００はＳ２１０とＳ２２０を含む。
【００９０】
Ｓ２１０において、受信側装置は時間ユニットでデータの第一の部分と少なくとも一つの第二の部分を受信し、ここで、該第一の部分に対して第一の変調符号化処理を実行し、該少なくとも一つの第二の部分に対して第二の変調符号化処理を実行する。
【００９１】
選択可能に、該時間ユニットは一つの伝送ブロック（ＴＢ：Ｔｒａｎｓｐｏｒｔ  Ｂｌｏｃｋ）として理解されてもよく、該伝送ブロックが第一の部分（又は第一のコードブロック部分と呼ばれ、以下に示される第一のコードブロック部分が該第一の部分である）と少なくとも一つの第二の部分（又は第二のコードブロック部分と呼ばれ、以下に示される第二のコードブロック部分が該第二の部分である）に分割されてデータ伝送を行う。例えば、該時間ユニットは信号を伝送するための時間領域物理リソースの基本単位であってもよく、具体的にサブフレーム、伝送時間間隔（ＴＴＩ：Ｔｒａｎｓｍｉｓｓｉｏｎ  Ｔｉｍｅ  Ｉｎｔｅｒｖａｌ）、タイムスロット、直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル又はリソースユニット（ＲＥ：Ｒｅｓｏｕｒｃｅ  Ｅｌｅｍｅｎｔ）などであってもよく、これに限定されない。
【００９２】
本発明の実施例では、少なくとも一つの第二の部分は一つ又は複数のコードブロック部分（即ち第二のコードブロック部分）であってもよく、コードブロック部分の数が限定されない。
【００９３】
選択可能に、該時間ユニットがＮ個の時間領域シンボルを占有し、該第一のコードブロック部分が該Ｎ個の時間領域シンボルの先頭のＬ個の時間領域シンボルを占有し、該少なくとも一つの第二のコードブロック部分が該Ｎ個の時間領域シンボルの後のＫ個の時間領域シンボルを占有し、ここで、Ｎが１より大きい正整数であり、ＬがＮ以下の正整数であり、ＫがＮ以下の正整数である。
【００９４】
具体的には、端末装置は伝送ブロックを第一のコードブロック部分と少なくとも一つの第二のコードブロック部分に分割することができ、該第一のコードブロック部分と該少なくとも一つの第二のコードブロック部分が個別に符号化され、例えば、第一のコードブロック部分が第一の変調符号化処理に用いられ、該少なくとも一つの第二のコードブロック部分が第二の変調符号化処理に用いられる。ここで、第一の変調符号化処理とは伝送ブロックの第一のコードブロック部分に対して複雑さが高い符号化、インターリーブなどの方式を用いて復調性能を高め、伝送効率を向上することであり、例えば、「複雑さが高い符号化」がターボコード（Ｔｕｒｂｏ）、低密度パリティチェック（ＬＤＰＣ：Ｌｏｗ−ｄｅｎｓｉｔｙ  Ｐａｒｉｔｙ−ｃｈｅｃｋ）コード、ポーラー（Ｐｏｌａｒ）コードなどの複雑な符号化方式のうちの少なくとも一つを含むことができ、第二の変調符号化処理とは伝送ブロックの少なくとも一つの第二のコードブロック部分に対して簡単な符号化処理を用い、例えば、フィードバック遅延を低減するように、時間領域インターリーブ処理を実行せず、例えば、「簡単な符号化」がＲＭ（Ｒｅｅｄ  Ｍｕｌｌｅｒ）コード、畳み込みコードなどの簡単な符号化方式のうちの少なくとも一つを含むことができる。
【００９５】
選択可能に、該第一の変調符号化処理と該第二の変調符号化処理には異なる符号化方式、及び／又は異なる変調方式、及び／又は異なる符号化レートが用いられる。
【００９６】
例えば、選択可能に、該少なくとも一つの第二のコードブロック部分に対して該第二の変調符号化処理を行う時に用いられる変調レベルは、該第一のコードブロック部分に対して該第一の変調符号化処理を行う時に用いられる変調レベル以下であり、及び／又は、
該少なくとも一つの第二のコードブロック部分に対して該第二の変調符号化処理を行う時に用いられる符号化レートは、該第一のコードブロック部分に対して該第一の変調符号化処理を行う時に用いられる符号化レート以下である。
【００９７】
本発明の実施例では、第一のコードブロック部分に対して複雑な符号化、インターリーブ処理などの方式を用いることができ、第一のコードブロック部分の復調性能が少なくとも一つの第二のコードブロック部分より優れる。選択可能に、第一のコードブロック部分に対してより低い変調及び符号化スキーム（ＭＣＳ：Ｍｏｄｕｌａｔｉｏｎ  ａｎｄ  Ｃｏｄｉｎｇ  Ｓｃｈｅｍｅ）を用い、第一のコードブロック部分と少なくとも一つの第二のコードブロック部分の復調性能が類似であることを保証することができる。
【００９８】
選択可能に、本発明の実施例では、第一の部分に対してチャネル符号化を行った後にコードブロック間のインターリーブ、時間領域インターリーブなどの方式を含むインターリーブ処理を行うことができ、少なくとも一つの第二のコードブロック部分に対してチャネル符号化を実行した後にインターリーブ処理を行わない。
【００９９】
選択可能に、該データの該第一の部分に対して符号化する前にインターリーブ処理を行うことができ、及び／又は、該データの該第一の部分に対して符号化した後にインターリーブ処理を行うこともでき、これに限定されない。
【０１００】
選択可能に、少なくとも一つの第二のコードブロック部分のリソースマッピング方式に対して周波数領域から時間領域までの方式を用いることができる。
【０１０１】
選択可能に、該第一のコードブロック部分は複数のサブコードブロックを含むことができる。具体的には、第一のコードブロック部分はさらに複数のサブコードブロックに分割されてもよく、複数のサブコードブロックが個別に符号化される。このようにして、端末装置はパラレルデコーダを用いて高速復号を実現することができる。
【０１０２】
Ｓ２２０において、該受信側装置は該第一の部分と該少なくとも一つの第二の部分を復調する。
【０１０３】
具体的には、受信側装置は該時間ユニットに占有されたＮ個の時間領域シンボルで、データの第一の部分と少なくとも一つの第二の部分を受信し、ここで、第一の部分に対して複雑な符号化処理方式を用い、少なくとも一つの第二の部分に対して簡単な符号化処理方式を用い、その後該第一の部分と少なくとも一つの第二の部分に対して復調又は復号を行うことができる。
【０１０４】
したがって、本発明の実施例によるデータ伝送方法では、受信側装置は時間ユニットでデータの第一の部分と少なくとも一つの第二の部分を受信し、ここで、該第一の部分に対して第一の変調符号化処理を実行し、該少なくとも一つの第二の部分に対して第二の変調符号化処理を実行し、該第一の部分と該少なくとも一つの第二の部分を復調することにより、スペクトル効率を向上させ、それによって高速復調を実現することができる。
【０１０５】
本発明の実施例では、受信側装置が端末装置である場合、端末装置は伝送ブロックの第一のコードブロック部分と少なくとも一つの第二のコードブロック部分を確定し、ここで、該第一のコードブロック部分が第一の変調符号化処理に用いられ、該少なくとも一つの第二のコードブロック部分が第二の変調符号化処理に用いられ、ここで、該伝送ブロックがＮ個の時間領域シンボルを占有し、該第一のコードブロック部分が該Ｎ個の時間領域シンボルの先頭のＬ個の時間領域シンボルを占有し、該少なくとも一つの第二のコードブロック部分が該Ｎ個の時間領域シンボルの後のＫ個の時間領域シンボルを占有し、Ｎ個の時間領域シンボルで該第一のコードブロック部分と該少なくとも一つの第二のコードブロック部分を伝送することにより、スペクトル効率を向上させ、それによって高速復調を実現することができる。
【０１０６】
理解すべきものとして、本発明の実施例では、異なるオブジェクトを区分し、例えば異なる「コードブロック部分」、又は異なる「変調符号化処理」方式を区分するために、番号「第一」「第二」などが導入され、以下に示される番号も異なるオブジェクトを区分するためのものであり、これらは本発明に対する限定を構成するものではない。
【０１０７】
また、理解すべきものとして、本発明の様々な実施例では、上記各プロセスの番号の大きさが実行順序を意味せず、各プロセスの実行順序はその機能と内部ロジックによって確定されるべきであり、本出願の実施例の実施プロセスのいかなる限定を構成すべきではないと理解すべきである。
【０１０８】
選択可能に、一つの実施例として、該受信側装置が端末装置である場合、該方法２００はさらに、
該端末装置がネットワーク装置から送信された、該第一の変調符号化処理に対応する変調符号化レベルを示すための第一のシグナリングを受信することと、
該端末装置が該第一のシグナリングに応じて、該第二の変調符号化処理に対応する変調符号化レベルを確定すること、又は、
該端末装置が該第一のシグナリングに応じて、該第二の変調符号化処理に対応する変調方式及び／又は符号化レートを確定することを含むことができる。
【０１０９】
具体的には、端末装置の第一のコードブロック部分に対して第一の変調符号化処理を行う時に用いられる変調符号化レベルは、ネットワーク装置によってシグナリング（例えば第一のシグナリング）で示されてもよい。端末装置はネットワーク装置から送信された第一のシグナリングを受信することにより、第一の変調符号化処理のための変調符号化レベルを知り、第一の変調符号化処理のための変調符号化レベルに基づき、該少なくとも一つのコードブロック部分の第二の変調符号化処理のための変調方式（例えば符号化レート、変調符号化レベルなど）を確定する。例えば、端末装置は第一の変調符号化処理のための変調符号化レベルより低いものを第二の変調符号化処理のための変調符号化レベルとして選択することができる。
【０１１０】
選択可能に、本発明の実施例では、第一のシグナリングはネットワーク装置から端末装置に送信された構成シグナリングであってもよい。
【０１１１】
選択可能に、一つの実施例として、該受信側装置が端末装置である場合、該方法２００はさらに、
該端末装置がネットワーク装置から送信された、該Ｋの値、及び／又は該少なくとも一つの第二の部分の総数を示すための第二のシグナリングを受信することを含むことができる。
【０１１２】
具体的には、端末装置はネットワーク装置から送信された第二のシグナリングを受信することができ、該第二のシグナリングがＫの値、及び／又は該少なくとも一つの第二のコードブロック部分の総数を示すことに用いられてもよい。端末装置は該第二のシグナリングに応じて、第一のコードブロック部分と該少なくとも一つの第二のコードブロック部分を確定することができる。
【０１１３】
本発明の実施例では、第二のシグナリングは直接Ｋの値を示すことができ、間接的にＫの値を示すこともできる。例えば、選択可能に、第二のシグナリングはさらに該少なくとも一つの第二のコードブロック部分に占有されたリソースユニット（ＲＥ：Ｒｅｓｏｕｒｃｅ  Ｅｌｅｍｅｎｔ）数、又は該少なくとも一つの第二のコードブロック部分に占有されたＲＥ数のＲＥ総数での割合を示すことに用いられてもよく、端末装置はＲＥ数情報に基づいてＫの値を間接的に取得することができる。
【０１１４】
選択可能に、本発明の実施例では、該第二のシグナリングはネットワーク装置から端末装置に送信された構成シグナリング、例えばダウンリンク制御情報（ＤＣＩ：Ｄｏｗｎｌｉｎｋ  Ｃｏｎｔｒｏｌ  Ｉｎｆｏｒｍａｔｉｏｎ）シグナリングであってもよい。
【０１１５】
本発明の実施例では、Ｋの値がネットワーク装置によって設定されてもよく、又はプロトコルによって規定されてもよく、これに限定されない。
【０１１６】
選択可能に、一つの実施例として、該第一の部分が第一の周波数領域リソースを占有して伝送され、及び該少なくとも一つの第二の部分が第二の周波数領域リソースを占有して伝送され、ここで、該第一の周波数領域リソースが該第二の周波数領域リソースと異なる。
【０１１７】
具体的には、端末装置は第一のコードブロック部分をＬ個の時間領域シンボルにおける第一の周波数領域リソースにマッピングし、少なくとも一つの第二のコードブロック部分をＫ個の時間領域シンボルにおける第二の周波数領域リソースにマッピングすることができ、該第一の周波数領域リソースが該第二の周波数領域リソースと異なる。
【０１１８】
選択可能に、本発明の実施例では、該少なくとも一つの第二のコードブロック部分における各第二のコードブロック部分の伝送ブロックサイズ（ＴＢＳ：Ｔｒａｎｓｐｏｒｔ  Ｂｌｏｃｋ  Ｓｉｚｅ）が第一の閾値以下である。
【０１１９】
ここで、第一の閾値を導入し、第二のコードブロック部分のＴＢＳ上限を規定することにより、第二のコードブロック部分の高速復調が可能であることが保証される。
【０１２０】
選択可能に、該第一の閾値はネットワーク装置によって設定されてもよく、又はプロトコルによって定められてもよく、これに限定されない。
【０１２１】
選択可能に、一つの実施例として、該方法２００はさらに、
該少なくとも一つの第二の部分におけるターゲットコードブロックのサイズが第二の閾値より大きい場合、該受信側装置が該ターゲットコードブロックを複数のサブブロックに分割し、ここで、該複数のサブコードブロックにおける各サブコードブロックのサイズが該第二の閾値以下であり、該複数のサブコードブロックにおける各サブコードブロックが個別に符号化されることを含むことができる。
【０１２２】
ここで、ターゲットコードブロックは、少なくとも一つの第二の部分のうちの一つのコードブロック部分であってもよい。
【０１２３】
言い換えれば、該少なくとも一つの第二のコードブロック部分における一つの第二のコードブロック部分の伝送ブロックサイズ（ＴＢＳ）が第二の閾値より大きい場合、該一つの第二のコードブロック部分を複数のサブコードブロックに分割し、ここで、該複数のサブコードブロックにおける各サブコードブロックのＴＢＳが該第二の閾値以下である。
【０１２４】
具体的には、少なくとも一つの第二のコードブロック部分における一つの第二のコードブロック部分のＴＢＳが第二の閾値より大きい場合、該一つの第二のコードブロック部分を複数のサブコードブロックに分割することができ、該複数のサブコードブロックにおける各サブコードブロックのＴＢＳが該第二の閾値以下である。端末装置はパラレルデコーダを用い、複数のサブコードブロックを復調し、高速復号を実現することができる。
【０１２５】
選択可能に、該第二の閾値はネットワーク装置によって設定されてもよく、又はプロトコルによって定められてもよく、これに限定されない。
【０１２６】
したがって、本発明の実施例によるデータ伝送方法では、受信側装置は時間ユニットでデータの第一の部分と少なくとも一つの第二の部分を受信し、ここで、該第一の部分に対して第一の変調符号化処理を実行し、該少なくとも一つの第二の部分に対して第二の変調符号化処理を実行し、該第一の部分と該少なくとも一つの第二の部分を復調することにより、スペクトル効率を向上させ、それによって高速復調を実現することができる。さらに、少なくとも一つの第二の部分のアップリンクを規定し、パラレル復調を実現することができる。
【０１２７】
選択可能に、一つの実施例として、該方法２００はさらに、
ネットワーク装置へ能力情報を送信することであって、該能力情報が、端末装置が該時間ユニットで伝送されたデータを該第一のコードブロック部分と該少なくとも一つの第二のコードブロック部分に分割して伝送することをサポートすることを示すことに用いられることを含むことができる。
【０１２８】
具体的には、端末装置はネットワーク装置へ能力情報を報告することができ、該能力情報が、該端末装置が時間ユニットで伝送されたデータ（又は伝送ブロック）を該第一のコードブロック部分と該少なくとも一つの第二のコードブロック部分に分割して伝送することをサポートすることを示すことに用いられる。このようにして、ネットワーク装置は端末装置の能力情報を知ることができ、それによって関連する命令を送信することができる。
【０１２９】
選択可能に、一つの実施例として、該方法２００はさらに、
ネットワーク装置から送信された通知メッセージを受信することであって、該通知メッセージが該第一のコードブロック部分と該少なくとも一つの第二のコードブロック部分を確定するために端末装置によって用いられることを含むことができる。
【０１３０】
具体的には、端末装置はネットワーク装置から送信された通知メッセージを受信し、その後該通知メッセージに基づいて該第一のコードブロック部分と該少なくとも一つの第二のコードブロック部分を確定することができる。例えば、該通知メッセージは該伝送ブロックのＴＢＳ、及び／又は該第一のコードブロック部分のＴＢＳ、及び／又は第二のコードブロック部分のＴＢＳを含むことができる。
【０１３１】
選択可能に、一つの実施例として、該通知メッセージは該伝送ブロックの伝送ブロックサイズ（ＴＢＳ）と該第一のコードブロック部分のＴＢＳを含み、
該ネットワーク装置から送信された該伝送ブロックのＴＢＳと該少なくとも一つの第一のコードブロック部分のＴＢＳ、及びプリセットルールに基づき、該少なくとも一つの第二のコードブロック部分のＴＢＳを確定する。
【０１３２】
具体的には、端末装置はネットワーク装置から送信された伝送ブロックのＴＢＳ合計サイズと第一のコードブロック部分のＴＢＳを受信することができ、そしてプリセットルールと組み合わせ、少なくとも一つの第二のコードブロック部分のＴＢＳを確定することができる。
【０１３３】
本発明の実施例では、該プリセットルールは該伝送ブロックのＴＢＳ、第一のコードブロック部分のＴＢＳ、及び該少なくとも一つの第二のコードブロック部分のＴＢＳの間のサイズ関係を指すことができる。例えば、該プリセットルールは、該伝送ブロックのＴＢＳが該第一のコードブロック部分のＴＢＳと該少なくとも一つの第二のコードブロック部分のＴＢＳの和であることを定めることができ、これに限定されない。
【０１３４】
本発明の実施例では、該プリセットルールはネットワーク装置と端末装置によって予め定められてもよく、又はプロトコルによって規定されてもよく、以下に示されるプリセットルールは同様である。
【０１３５】
選択可能に、一つの実施例として、該通知メッセージは該伝送ブロックの伝送ブロックサイズＴＢＳと該少なくとも一つの第二のコードブロック部分のＴＢＳを含み、
該ネットワーク装置から送信された該伝送ブロックのＴＢＳと該少なくとも一つの第二のコードブロック部分のＴＢＳ、及びプリセットルールに基づき、該第一のコードブロック部分のＴＢＳを確定する。
【０１３６】
具体的には、端末装置はネットワーク装置から送信された伝送ブロックのＴＢＳ合計サイズと少なくとも一つの第二のコードブロック部分のＴＢＳを受信することができ、そしてプリセットルールと組み合わせ、第一のコードブロック部分のＴＢＳを確定することができる。
【０１３７】
選択可能に、一つの実施例として、該通知メッセージが該伝送ブロックの伝送ブロックサイズ（ＴＢＳ）を含み、
該ネットワーク装置から送信された該伝送ブロックのＴＢＳとプリセットルールに基づき、該第一のコードブロック部分のＴＢＳと該少なくとも一つの第二のコードブロック部分のＴＢＳを確定する。
【０１３８】
具体的には、端末装置はネットワーク装置から送信された伝送ブロックのＴＢＳ合計サイズを受信することができ、そしてプリセットルールと組み合わせ、第一のコードブロック部分のＴＢＳと少なくとも一つの第二のコードブロック部分のＴＢＳを確定することができる。
【０１３９】
選択可能に、一つの実施例として、該通知メッセージは該第一のコードブロック部分の伝送ブロックブロックサイズ（ＴＢＳ）と該少なくとも一つの第二のコードブロック部分のＴＢＳを含む。
【０１４０】
具体的には、端末装置はネットワーク装置から送信された第一のコードブロック部分のＴＢＳと少なくとも一つの第二のコードブロック部分のＴＢＳを直接受信することができる。
【０１４１】
上述したしょうに、第一のコードブロック部分のＴＢＳと少なくとも一つの第二のコードブロック部分のＴＢＳは端末装置がネットワーク装置から送信された通知メッセージと組み合わせて計算したものであってもよいし、端末装置がネットワーク装置から送信された具体的なサイズを直接受信して取得したものであってもよく、これに限定されない。
【０１４２】
したがって、本発明の実施例によるデータ伝送方法では、受信側装置は時間ユニットでデータの第一の部分と少なくとも一つの第二の部分を受信し、ここで、該第一の部分に対して第一の変調符号化処理を実行し、該少なくとも一つの第二の部分に対して第二の変調符号化処理を実行し、該第一の部分と該少なくとも一つの第二の部分を復調することにより、スペクトル効率を向上させ、それによって高速復調を実現することができる。
【０１４３】
選択可能に、一つの実施例として、該第一の部分に占有された該Ｌ個の時間領域シンボルと該少なくとも一つの第二の部分に占有された該Ｋ個の時間領域シンボルの和が該時間ユニットに占有された該Ｎ個の時間領域シンボルであり、
又は、該第一の部分に占有された該Ｌ個の時間領域シンボルと該少なくとも一つの第二の部分に占有された該Ｋ個の時間領域シンボルの和が該時間ユニットに占有された該Ｎ個の時間領域シンボルに一つの時間領域シンボルを加えたものであり、ここで、該Ｌ個の時間領域シンボルの最後の時間領域シンボルと該Ｋ個の時間領域シンボルの１番目の時間領域シンボルが同じ時間領域シンボルである。
【０１４４】
具体的には、一つの好ましい実施例として、Ｌ個の時間領域シンボル＋Ｋ個の時間領域シンボル＝該Ｎ個の時間領域シンボルであり、又はＬ個の時間領域シンボル＋Ｋ個の時間領域シンボル＝該Ｎ個の時間領域シンボル＋１である。ここで、後者の状況は第一の部分のＬ個の時間領域シンボルの最後の時間領域シンボルが少なくとも一つの第二の部分のＫ個の時間領域シンボルの１番目の時間領域シンボルと同一の時間領域シンボルを多重化することができることを意味する。
【０１４５】
当業者が本発明の実施例における第一の部分と少なくとも一つの第二の部分の時間領域シンボル分布を容易に理解するように、図３Ａ〜図３Ｄを組み合わせて説明する。
【０１４６】
図３Ａは本発明の実施例によるコードブロック部分の一例の概略図である。図３Ａに示すように、
0006896847.tif 000002
に対応するコードブロック部分Ｐ１（第一のコードブロック部分を示すことに用いられてもよい）がＬ個の時間領域シンボルを占有し、
0006896847.tif 000003
に対応するコードブロック部分Ｐ２（第二のコードブロック部分を示すことに用いられてもよい）がＫ個の時間領域シンボルを占有する。ここで、ＬとＫの和がＮであり、Ｎが１より大きい正整数である。図３Ａにおいて、伝送ブロックに占有されたＮ個の時間領域シンボルは第一のコードブロック部分Ｐ１と一つの第二のコードブロック部分Ｐ２に分割されてもよい。
【０１４７】
図３Ｂは本発明の実施例によるコードブロックの他の例の概略図である。図３Ｂに示すように、
0006896847.tif 000004
に対応するコードブロック部分Ｐ１（第一のコードブロック部分を示すことに用いられてもよい）がＬ個の時間領域シンボルを占有し、
0006896847.tif 000005
に対応するコードブロック部分Ｐ２（第二のコードブロック部分を示すことに用いられてもよい）がＫ個の時間領域シンボルを占有する。ここで、ＬとＫの和がＮであり、Ｎが１より大きい正整数である。図３Ｂにおいて、伝送ブロックに占有されたＮ個の時間領域シンボルは第一のコードブロック部分Ｐ１と２つの第二のコードブロック部分Ｐ２に分割されてもよい。理解すべきものとして、ここで２つの第二のコードブロック部分のみを例として説明するが、第二のコードブロック部分の数はより多くてもよく、これに限定されない。
【０１４８】
図３Ｃは本発明の実施例によるコードブロックの他の例の概略図である。図３Ｃに示すように、
0006896847.tif 000006
に対応するコードブロック部分Ｐ１（第一のコードブロック部分を示すことに用いられてもよい）がＬ個の時間領域シンボルを占有し、
0006896847.tif 000007
に対応するコードブロック部分Ｐ２（第二のコードブロック部分を示すことに用いられてもよい）がＫ個の時間領域シンボルを占有する。ここで、ＬとＫの和がＮ＋１であり、Ｎが１より大きい正整数である。図３Ｃにおいて、伝送ブロックに占有されたＮ個の時間領域シンボルは第一のコードブロック部分Ｐ１と一つの第二のコードブロック部分Ｐ２に分割されてもよい。第一のコードブロック部分Ｐ１と一つの第二のコードブロック部分Ｐ２が一つの時間領域シンボルを多重化することができ、具体的にＬ個の時間領域シンボルの最後の時間領域シンボルとＫ個の時間領域シンボルの第一の時間領域シンボルが同一の時間領域シンボルである。
【０１４９】
図３Ｄは本発明の実施例によるコードブロックの他の例の概略図である。図３Ｄに示すように、
0006896847.tif 000008
に対応するコードブロック部分Ｐ１（第一のコードブロック部分を示すことに用いられてもよい）がＬ個の時間領域シンボルを占有し、
0006896847.tif 000009
に対応するコードブロック部分Ｐ２（第二のコードブロック部分を示すことに用いられてもよい）がＫ個の時間領域シンボルを占有する。ここで、ＬとＫの和がＮ＋１であり、Ｎが１より大きい正整数である。図３Ｄにおいて、伝送ブロックに占有されたＮ個の時間領域シンボルは第一のコードブロック部分Ｐ１と２つの第二のコードブロック部分Ｐ２に分割されてもよい。第一のコードブロック部分Ｐ１と一つの第二のコードブロック部分Ｐ２が一つの時間領域シンボルを多重化することができ、具体的にＬ個の時間領域シンボルの最後の時間領域シンボルとＫ個の時間領域シンボルの第一の時間領域シンボルが同一の時間領域シンボルである。理解すべきものとして、ここで２つの第二のコードブロック部分のみを例として説明し、第二のコードブロック部分の数がさらにより大きくてもよく、これに限定されない。
【０１５０】
理解すべきものとして、図３Ａ〜図３Ｄは本発明の実施例によるいくつかの可能な実施形態のみを示しており、本発明に対する限定を構成せず、実際に応用する時により多くの実施形態が可能であり、これに限定されない。
【０１５１】
以上に受信側装置の観点から本発明の実施例によるデータ伝送方法を説明した。以下に送信側装置の観点から本発明の実施例によるデータ伝送方法を説明する。理解すべきものとして、簡潔にするために、いくつかの繰り返した概念又は用語に対して説明を省略する。
【０１５２】
図４は本発明の他の実施例によるデータ伝送方法４００の概略フローチャートである。該方法４００は送信側によって実行され、該送信側装置は端末装置又はネットワーク装置であってもよく、ここでネットワーク装置を例として説明し、例えば、該ネットワーク装置が図１の基地局２１であってもよい。図４に示すように、該方法４００はＳ４１０を含む。
【０１５３】
Ｓ４１０において、送信側装置は時間ユニットでデータの第一の部分と少なくとも一つの第二の部分を送信し、ここで、該第一の部分に対して第一の変調符号化処理を実行し、該少なくとも一つの第二の部分に対して第二の変調符号化処理を実行する。
【０１５４】
本発明の実施例によるデータ伝送方法では、送信側装置は時間ユニットでデータの第一の部分と少なくとも一つの第二の部分を送信し、ここで、該第一の部分に対して第一の変調符号化処理を実行し、該少なくとも一つの第二の部分に対して第二の変調符号化処理を実行し、受信側装置が該第一の部分と該少なくとも一つの第二の部分を復調するようにすることにより、スペクトル効率を向上させ、それによって高速復調を実現することができる。
【０１５５】
理解すべきものとして、本発明の実施例では、受信側装置又は送信側装置に関わらず、該第一の部分と少なくとも一つの第二の部分の処理方式は共通であり、簡潔にするために、説明を省略する。受信側は送信側装置から送信された符号化後のデータを受信し、それによって復号することができる。
【０１５６】
選択可能に、一つの実施例として、該時間ユニットがＮ個の時間領域シンボルを占有し、該第一のコードブロック部分が該Ｎ個の時間領域シンボルの先頭のＬ個の時間領域シンボルを占有し、該少なくとも一つの第二のコードブロック部分が該Ｎ個の時間領域シンボルの後のＫ個の時間領域シンボルを占有し、ここで、Ｎが１より大きい正整数であり、ＬがＮ以下の正整数であり、ＫがＮ以下の正整数である。
【０１５７】
選択可能に、一つの実施例として、該第一の変調符号化処理と該第二の変調符号化処理には異なる符号化方式、及び／又は異なる変調方式、及び／又は異なる符号化レートが用いられる。
【０１５８】
選択可能に、一つの実施例として、該第二の変調符号化処理のための変調レベルは、該第一の変調符号化処理のための変調レベル以下であり、及び／又は、
該第二の変調符号化処理のための符号化レートは、該第一の変調符号化処理のための符号化レート以下である。
【０１５９】
選択可能に、一つの実施例として、該少なくとも一つの第二の部分の各コードブロックのサイズが第一の閾値以下である。
【０１６０】
選択可能に、一つの実施例として、該方法４００はさらに、
該少なくとも一つの第二の部分におけるターゲットコードのサイズが第二の閾値より大きい場合、該送信側装置が該ターゲットコードブロックを複数のサブコードブロックに分割することであって、ここで、該複数のサブコードブロックにおける各サブコードブロックのサイズが該第二の閾値以下であり、該複数のサブコードブロックにおける各サブコードブロックが個別に符号化されることを含むことができる。
【０１６１】
選択可能に、一つの実施例として、該第一の部分に対応するコードブロックは複数のサブコードブロックを含み、該複数のサブコードブロックにおける各サブコードブロックが個別に符号化される。
【０１６２】
選択可能に、一つの実施例として、該送信側装置がネットワーク装置である場合、該方法４００はさらに、
該端末装置へ通知メッセージを送信することであって、該通知メッセージが該第一の部分のコードブロックサイズと該少なくとも一つの第二の部分のコードブロックサイズを確定するために該端末装置によって用いられることを含むことができる。
【０１６３】
本発明の実施例では、ネットワーク装置は通知メッセージを確定し、そして端末装置へ該通知メッセージを送信することができ、これにより端末装置は該通知メッセージに基づいて伝送ブロックの第一のコードブロック部分と少なくとも一つの第二のコードブロック部分を確定する。
【０１６４】
選択可能に、一つの実施例として、該通知メッセージは該時間ユニットに対応する伝送ブロックの伝送ブロックサイズ（ＴＢＳ）と該第一のコードブロック部分のＴＢＳを含む。
【０１６５】
ネットワーク装置は端末装置へ該伝送ブロックの伝送ブロックサイズ（ＴＢＳ）と該第一のコードブロック部分のＴＢＳを提供することができ、これにより端末装置は伝送ブロックのＴＢＳと該第一のコードブロック部分のＴＢＳ、及びプリセットルールに基づいて該少なくとも一つの第二のコードブロック部分のＴＢＳを確定することができる
選択可能に、一つの実施例として、該通知メッセージは該伝送ブロックの伝送ブロックサイズ（ＴＢＳ）と該少なくとも一つの第二のコードブロック部分のＴＢＳを含む。
【０１６６】
ネットワーク装置は端末装置へ該伝送ブロックの伝送ブロックサイズ（ＴＢＳ）と該少なくとも一つの第二のコードブロック部分のＴＢＳを提供することができ、これにより端末装置は該伝送ブロックのＴＢＳと該少なくとも一つの第二のコードブロック部分のＴＢＳ、及びプリセットルールに基づいて該第一のコードブロック部分のＴＢＳを確定することができる。
【０１６７】
選択可能に、一つの実施例として、該通知メッセージは該伝送ブロックの伝送ブロックサイズ（ＴＢＳ）を含む。
【０１６８】
ネットワーク装置は端末装置へ該伝送ブロックの伝送ブロックサイズ（ＴＢＳ）を提供することができ、これにより端末装置は該伝送ブロックのＴＢＳ及びプリセットルールに基づき、第一のコードブロック部分のＴＢＳと少なくとも一つの第二のコードブロック部分のＴＢＳを確定することができる。
【０１６９】
選択可能に、一つの実施例として、該通知メッセージは該第一のコードブロック部分の伝送ブロックサイズ（ＴＢＳ）と該少なくとも一つの第二のコードブロック部分のＴＢＳを含む。
【０１７０】
ネットワーク装置は端末装置へ該第一のコードブロック部分の伝送ブロックサイズ（ＴＢＳ）と該少なくとも一つの第二のコードブロック部分のＴＢＳを直接提供することができる。
【０１７１】
選択可能に、一つの実施例として、該方法４００はさらに、
該ネットワーク装置が端末装置から送信された能力情報を受信することであって、該能力情報が、該端末装置が該時間ユニットで伝送されたデータを該第一の部分と該少なくとも一つの第二の部分に分割して伝送することをサポートすることを示すことに用いられることを含むことができる。
【０１７２】
具体的には、ネットワーク装置は端末装置によって報告された能力情報を受信することができ、該能力情報が、該端末装置が該時間ユニットで伝送されたデータを該第一のコードブロック部分と該少なくとも一つの第二のコードブロック部分に分割して伝送することをサポートすることを示すことに用いられることを含むことができる。
【０１７３】
選択可能に、一つの実施例として、該方法４００はさらに、
該端末装置へ第一のシグナリングを送信することであって、該第一のシグナリングが該第一の変調符号化処理に対応する変調符号化レベルを示すことに用いられることを含むことができる。
【０１７４】
具体的には、ネットワーク装置は該端末装置へ第一のシグナリングを送信することができ、該第一のシグナリングが端末装置の該第一のコードブロック部分に対して第一の変調符号化処理を行う時に用いられる変調符号化レベルを示すことに用いられ、これにより端末装置は該第一のシグナリングに応じて第二の変調符号化処理のための変調方式を確定する。
【０１７５】
選択可能に、一つの実施例として、該第一の部分に占有された該Ｌ個の時間領域シンボルと該少なくとも一つの第二の部分に占有された該Ｋ個の時間領域シンボルの和が該時間ユニットに占有された該Ｎ個の時間領域シンボルであり、
又は、該第一の部分に占有された該Ｌ個の時間領域シンボルと該少なくとも一つの第二の部分に占有された該Ｋ個の時間領域シンボルの和が該時間ユニットに占有された該Ｎ個の時間領域シンボルに一つの時間領域シンボルを加えたものであり、ここで、該Ｌ個の時間領域シンボルの最後の時間領域シンボルと該Ｋ個の時間領域シンボルの１番目の時間領域シンボルが同じ時間領域シンボルである。
【０１７６】
選択可能に、一つの実施例として、該方法４００はさらに、
該端末装置へ第二のシグナリングを送信することであって、該第二のシグナリングが該Ｋの値、又は該少なくとも一つの第二の部分の総数を示すことに用いられることを含むことができる。
【０１７７】
具体的には、ネットワーク装置はシグナリング（例えば、第二のシグナリング）によりＫの値を設定することができ、Ｋの値を直接示すことができ、Ｋの値を間接的に示すこともできる。ここで、「間接的指示」とは、該少なくとも一つの第二のコードブロック部分に占有されたリソースユニット（ＲＥ）数をシグナリングにより示すこと、又は該少なくとも一つの第二のコードブロック部分に占有されたリソースユニット（ＲＥ）数のＲＥ総数での割合をシグナリングにより示すことを意味する。端末装置は第二のシグナリングに応じてＫの値を取得又は計算することができる。
【０１７８】
選択可能に、一つの実施例として、該第一の部分が第一の周波数領域リソースを占有して伝送され、及び該少なくとも一つの第二の部分が第二の周波数領域リソースを占有して伝送され、ここで、該第一の周波数領域リソースが該第二の周波数領域リソースと異なる。
【０１７９】
選択可能に、一つの実施例として、該データの該第一の部分に対して符号化する前にインターリーブ処理を行い、及び／又は、該データの該第一の部分に対して符号化した後にインターリーブ処理を行う。
【０１８０】
したがって、本発明の実施例によるデータ伝送方法では、送信側装置は時間ユニットでデータの第一の部分と少なくとも一つの第二の部分を送信し、ここで、該第一の部分に対して第一の変調符号化処理を実行し、該少なくとも一つの第二の部分に対して第二の変調符号化処理を実行し、受信側装置が該第一の部分と該少なくとも一つの第二の部分を復調するようにすることにより、スペクトル効率を向上させ、それによって高速復調を実現することができる。
【０１８１】
以上に本発明の実施例によるデータ伝送方法を説明し、以下に本発明の実施例による受信側装置と送信側装置をそれぞれ説明する。
【０１８２】
図５は本発明の実施例による受信側装置５００の概略ブロック図である。選択可能に、該受信側装置は端末装置であってもよい。図５に示すように、該受信側装置５００は、受信モジュール５１０と処理モジュール５２０を備える。
【０１８３】
受信モジュール５１０は、時間ユニットでデータの第一の部分と少なくとも一つの第二の部分を受信するように構成され、ここで、該第一の部分に対して第一の変調符号化処理を実行し、該少なくとも一つの第二の部分に対して第二の変調符号化処理を実行する。
【０１８４】
処理モジュール５２０は該第一の部分と該少なくとも一つの第二の部分を復調するように構成される。
【０１８５】
本発明の実施例では、受信側装置が時間ユニットでデータの第一の部分と少なくとも一つの第二の部分を受信し、ここで、該第一の部分に対して第一の変調符号化処理を実行し、該少なくとも一つの第二の部分に対して第二の変調符号化処理を実行し、該第一の部分と該少なくとも一つの第二の部分を復調することにより、スペクトル効率を向上させ、それによって高速復調を実現することができる。
【０１８６】
選択可能に、該時間ユニットがＮ個の時間領域シンボルを占有し、該第一のコードブロック部分が該Ｎ個の時間領域シンボルの先頭のＬ個の時間領域シンボルを占有し、該少なくとも一つの第二のコードブロック部分が該Ｎ個の時間領域シンボルの後のＫ個の時間領域シンボルを占有し、ここで、Ｎが１より大きい正整数であり、ＬがＮ以下の正整数であり、ＫがＮ以下の正整数である。
【０１８７】
したがって、本発明の実施例による受信側装置５００では、伝送ブロックの第一の部分と少なくとも一つの第二の部分を確定し、ここで、該第一の部分が第一の変調符号化処理に用いられ、該少なくとも一つの第二の部分が第二の変調符号化処理に用いられ、ここで、該伝送ブロックがＮ個の時間領域シンボルを占有し、該第一の部分が該Ｎ個の時間領域シンボルの先頭のＬ個の時間領域シンボルを占有し、該少なくとも一つの第二の部分が該Ｎ個の時間領域シンボルの後のＫ個の時間領域シンボルを占有し、Ｎ個の時間領域シンボルで該第一の部分と該少なくとも一つの第二の部分を伝送することにより、スペクトル効率を向上させ、それによって高速復調を実現することができる。
【０１８８】
選択可能に、一つの実施例として、該第一の変調符号化処理と該第二の変調符号化処理には異なる符号化方式、及び／又は異なる変調方式、及び／又は異なる符号化レートが用いられる。
【０１８９】
選択可能に、一つの実施例として、該第二の変調符号化処理のための変調レベルは該第一の変調符号化処理のための変調レベル以下であり、及び／又は、
該第二の変調符号化処理のための符号化レートは、該第一の変調符号化処理のための符号化レート以下である。
【０１９０】
選択可能に、一つの実施例として、該少なくとも一つの第二の部分の各コードブロックのサイズ（例えば伝送ブロックサイズ（ＴＢＳ））が第一の閾値以下である。
【０１９１】
選択可能に、一つの実施例として、該処理モジュール５２０はさらに該少なくとも一つの第二の部分における一つの第二の部分の伝送ブロックサイズ（ＴＢＳ）が第二の閾値より大きい場合、該一つの第二の部分を複数のサブコードブロックに分割するように構成され、ここで、該複数のサブコードブロックにおける各サブコードブロックのＴＢＳが該第二の閾値以下であり、該複数のサブコードブロックにおける各サブコードブロックが個別に符号化される。
【０１９２】
選択可能に、一つの実施例として、該第一の部分は複数のサブコードブロックを含み、該複数のサブコードブロックにおける各サブコードブロックが個別に符号化される。
【０１９３】
選択可能に、一つの実施例として、該受信側装置はさらに、
ネットワーク装置へ能力情報を送信するように構成され、該能力情報が、該端末装置が該時間ユニットで伝送されたデータを該第一の部分と該少なくとも一つの第二の部分に分割して伝送することをサポートすることを示すことに用いられる送信モジュールを備える。
【０１９４】
選択可能に、一つの実施例として、該受信モジュール５１０はさらに、
ネットワーク装置から送信された通知メッセージを受信するように構成され、該通知メッセージが該第一の部分のコードブロックサイズと該少なくとも一つの第二の部分のコードブロックサイズを確定することに用いられる。
【０１９５】
選択可能に、一つの実施例として、該通知メッセージが該時間ユニットに対応する伝送ブロックの伝送ブロックサイズ（ＴＢＳ）と該第一の部分のＴＢＳを含み、
ここで、該処理モジュール５２０は具体的に、
該ネットワーク装置から送信された該伝送ブロックのＴＢＳと該第一の部分のＴＢＳ、及びプリセットルールに基づき、該少なくとも一つの第二の部分のＴＢＳを確定するように構成される。
【０１９６】
選択可能に、一つの実施例として、該通知メッセージが該伝送ブロックの伝送ブロックサイズ（ＴＢＳ）と該少なくとも一つの第二の部分のＴＢＳを含み、
ここで、該処理モジュール５２０は具体的に、
該ネットワーク装置から送信された該伝送ブロックのＴＢＳと該少なくとも一つの第二の部分のＴＢＳ、及びプリセットルールに基づき、該第一の部分のＴＢＳを確定するように構成される。
【０１９７】
選択可能に、一つの実施例として、該通知メッセージが該伝送ブロックの伝送ブロックサイズ（ＴＢＳ）を含み、
ここで、該処理モジュール５２０は具体的に、
該ネットワーク装置から送信された該伝送ブロックのＴＢＳとプリセットルールに基づき、該第一の部分のＴＢＳと該少なくとも一つの第二の部分のＴＢＳを確定するように構成される。
【０１９８】
選択可能に、一つの実施例として、該通知メッセージは該第一の部分の伝送ブロックサイズ（ＴＢＳ）と該少なくとも一つの第二の部分のＴＢＳを含む。
【０１９９】
選択可能に、一つの実施例として、該受信モジュール５１０はさらに、
ネットワーク装置から送信された第一のシグナリングを受信するように構成され、該第一のシグナリングが該端末装置の該第一の部分に対して第一の変調符号化処理を行う時に用いられる変調符号化レベルを示すことに用いられる。
【０２００】
ここで、該処理モジュール５２０は具体的に、
該第一のシグナリングに応じて、該第二の変調符号化処理に対応する変調符号化レベルを確定するように構成され、又は、
該第一のシグナリングに応じて、該第二の変調符号化処理に対応する変調方式及び／又は符号化レートを確定するように構成される。
【０２０１】
選択可能に、一つの実施例として、該第一の部分に占有された該Ｌ個の時間領域シンボルと該少なくとも一つの第二の部分に占有された該Ｋ個の時間領域シンボルの和が該時間ユニットに占有された該Ｎ個の時間領域シンボルであり、
又は、該第一の部分に占有された該Ｌ個の時間領域シンボルと該少なくとも一つの第二の部分に占有された該Ｋ個の時間領域シンボルの和が該時間ユニットに占有された該Ｎ個の時間領域シンボルに一つの時間領域シンボルを加えたものであり、ここで、該Ｌ個の時間領域シンボルの最後の時間領域シンボルと該Ｋ個の時間領域シンボルの１番目の時間領域シンボルが同じ時間領域シンボルである。
【０２０２】
選択可能に、一つの実施例として、該受信モジュール５１０はさらに、
ネットワーク装置から送信された、該Ｋの値、及び／又は該少なくとも一つの第二の部分の総数を示すための第二のシグナリングを受信するように構成される。
【０２０３】
選択可能に、一つの実施例として、該第一の部分が第一の周波数領域リソースを占有して伝送され、及び該少なくとも一つの第二の部分が第二の周波数領域リソースを占有して伝送され、ここで、該第一の周波数領域リソースが該第二の周波数領域リソースと異なる。
【０２０４】
選択可能に、一つの実施例として、該データの該第一の部分に対して符号化する前にインターリーブ処理を行い、及び／又は、該データの該第一の部分に対して符号化した後にインターリーブ処理を行う。
【０２０５】
本発明の実施例による受信側装置５００は本発明の実施例によるデータ伝送方法２００を実行することができ、そして該受信側装置５００における各モジュールの上記及び他の操作及び／又は機能がそれぞれ上記各方法の対応するプロセスを実現するためのものであり、簡潔にするために、ここで説明を省略する。
【０２０６】
したがって、本発明の実施例による受信側装置５００では、時間ユニットでデータの第一の部分と少なくとも一つの第二の部分を受信し、ここで、該第一の部分に対して第一の変調符号化処理を実行し、該少なくとも一つの第二の部分に対して第二の変調符号化処理を実行し、該第一の部分と該少なくとも一つの第二の部分を復調することにより、スペクトル効率を向上させ、それによって高速復調を実現することができる。
【０２０７】
以上に図５を組み合わせて本発明の実施例による受信側装置を説明し、以下に図６を組み合わせて本発明の実施例による送信側装置を説明する。
【０２０８】
図６は本発明の実施例による送信側装置６００の概略ブロック図である。該送信側装置はネットワーク装置であってもよい。図６に示すように、該送信側装置６００は送信モジュール６１０を備える。
【０２０９】
送信モジュール６１０は、時間ユニットでデータの第一の部分と少なくとも一つの第二の部分を送信するように構成され、ここで、該第一の部分に対して第一の変調符号化処理を実行し、該少なくとも一つの第二の部分に対して第二の変調符号化処理を実行する。
【０２１０】
本発明の実施例では、送信側装置６００では、時間ユニットでデータの第一の部分と少なくとも一つの第二の部分を送信し、ここで、該第一の部分に対して第一の変調符号化処理を実行し、該少なくとも一つの第二の部分に対して第二の変調符号化処理を実行し、受信側装置が該第一の部分と該少なくとも一つの第二の部分を復調するようにすることにより、スペクトル効率を向上させ、それによって高速復調を実現することができる。
【０２１１】
選択可能に、一つの実施例として、該送信側装置６００はさらに、
通知メッセージを確定するように構成され、該通知メッセージが伝送ブロックの第一のコードブロック部分と該少なくとも一つの第二のコードブロック部分を確定するために受信側装置によって用いられる確定モジュールを備える。
【０２１２】
選択可能に、該送信モジュール６１０はさらに該受信側装置へ該確定モジュールによって確定された該通知メッセージを送信するように構成される。
【０２１３】
選択可能に、該時間ユニットがＮ個の時間領域シンボルを占有し、該第一のコードブロック部分が該Ｎ個の時間領域シンボルの先頭のＬ個の時間領域シンボルを占有し、該少なくとも一つの第二のコードブロック部分が該Ｎ個の時間領域シンボルの後のＫ個の時間領域シンボルを占有し、ここで、Ｎが１より大きい正整数であり、ＬがＮ以下の正整数であり、ＫがＮ以下の正整数である。
【０２１４】
選択可能に、一つの実施例として、該第一の部分に占有された該Ｌ個の時間領域シンボルと該少なくとも一つの第二の部分に占有された該Ｋ個の時間領域シンボルの和が該時間ユニットに占有された該Ｎ個の時間領域シンボルであり、
又は、該第一の部分に占有された該Ｌ個の時間領域シンボルと該少なくとも一つの第二の部分に占有された該Ｋ個の時間領域シンボルの和が該時間ユニットに占有された該Ｎ個の時間領域シンボルに一つの時間領域シンボルを加えたものであり、ここで、該Ｌ個の時間領域シンボルの最後の時間領域シンボルと該Ｋ個の時間領域シンボルの１番目の時間領域シンボルが同じ時間領域シンボルである。
【０２１５】
選択可能に、一つの実施例として、該第一の変調符号化処理と該第二の変調符号化処理には異なる符号化方式、及び／又は異なる変調方式、及び／又は異なる符号化レートが用いられる。
【０２１６】
選択可能に、一つの実施例として、該第二の変調符号化処理のための変調レベルは該第一の変調符号化処理のための変調レベル以下であり、及び／又は、
該第二の変調符号化処理のための符号化レートは、該第一の変調符号化処理のための符号化レート以下である。
【０２１７】
選択可能に、一つの実施例として、該通知メッセージは該時間ユニットの伝送ブロックサイズ（ＴＢＳ）と該第一のコードブロック部分のＴＢＳを含む。
【０２１８】
選択可能に、一つの実施例として、該通知メッセージは該時間ユニットの伝送ブロックサイズ（ＴＢＳ）と該少なくとも一つの第二のコードブロック部分のＴＢＳを含む。
【０２１９】
選択可能に、一つの実施例として、該通知メッセージは該時間ユニットの伝送ブロックサイズ（ＴＢＳ）を含む。
【０２２０】
選択可能に、一つの実施例として、該通知メッセージは該第一のコードブロック部分の伝送ブロックサイズ（ＴＢＳ）と該少なくとも一つの第二のコードブロック部分のＴＢＳを含む。
【０２２１】
選択可能に、一つの実施例として、該少なくとも一つの第二のコードブロック部分にける各コードブロックのサイズは第一の閾値以下である。
【０２２２】
選択可能に、一つの実施例として、該送信側装置６００はさらに、
該少なくとも一つの第二の部分におけるターゲットコードブロックのサイズが第二の閾値より大きい場合、該ターゲットコードブロックを複数のサブブロックに分割するように構成され、ここで、該複数のサブコードブロックにおける各サブコードブロックのサイズが該第二の閾値以下であり、該複数のサブコードブロックにおける各サブコードブロックが個別に符号化される処理モジュールを備える。
【０２２３】
選択可能に、一つの実施例として、該第一の部分に対応するコードブロックは複数のサブコードブロックを含み、該複数のサブコードブロックにおける各サブコードブロックが個別に符号化される。
【０２２４】
選択可能に、一つの実施例として、該ネットワーク装置はさらに、
端末装置から送信された能力情報を受信するように構成され、該能力情報が、該端末装置が該時間ユニットで伝送されたデータを該第一のコードブロック部分と該少なくとも一つの第二のコードブロック部分に分割して伝送することをサポートすることを示すことに用いられることを含む受信モジュールを備え、
ここで、該送信モジュール６１０は具体的に、
該能力情報に基づいて該端末装置へ該通知メッセージを送信するように構成される。
【０２２５】
選択可能に、一つの実施例として、該送信モジュール６１０はさらに、
端末装置へ第一のシグナリングを送信するように構成され、該第一のシグナリングが該第一の変調符号化処理に対応する変調符号化レベルを示すことに用いられる。
【０２２６】
選択可能に、一つの実施例として、該送信モジュール６１０はさらに、
端末装置へ第二のシグナリングを送信するように構成され、該第二のシグナリングが該Ｋの値、又は該少なくとも一つの第二のコードブロック部分の総数を示すことに用いられる。
【０２２７】
選択可能に、一つの実施例として、該第一の部分が第一の周波数領域リソースを占有して伝送され、及び該少なくとも一つの第二の部分が第二の周波数領域リソースを占有して伝送され、ここで、該第一の周波数領域リソースが該第二の周波数領域リソースと異なる。
【０２２８】
選択可能に、一つの実施例として、該データの該第一の部分に対して符号化する前にインターリーブ処理を行い、及び／又は、該データの該第一の部分に対して符号化した後にインターリーブ処理を行う。
【０２２９】
本発明の実施例による送信側装置６００は本発明の実施例によるデータ伝送方法４００を実行することができ、そして該送信側装置６００における各モジュールの上記及び他の操作及び／又は機能がそれぞれ上記各方法の対応するプロセスを実現するためのものであり、簡潔にするために、ここで説明を省略する。
【０２３０】
したがって、本発明の実施例による送信側装置６００では、時間ユニットでデータの第一の部分と少なくとも一つの第二の部分を送信し、ここで、該第一の部分に対して第一の変調符号化処理を実行し、該少なくとも一つの第二の部分に対して第二の変調符号化処理を実行し、受信側装置が該第一の部分と該少なくとも一つの第二の部分を復調するようにすることにより、スペクトル効率を向上させ、それによって高速復調を実現することができる。
【０２３１】
図７は本発明の他の実施例による受信側装置の構造図である。該受信側装置は少なくとも一つのプロセッサ７０２（例えばＣＰＵ）、少なくとも一つのネットワークインタフェース７０５又は他の通信インタフェース、メモリ７０６、及びこれらの装置の間の接続通信を実現するための少なくとも一つの通信バス７０３を備える。プロセッサ７０２はメモリ７０６に記憶された実行可能モジュール、例えばコンピュータプログラムを実行することに用いられる。メモリ７０６は高速ランダムメモリ（ＲＡＭ：Ｒａｎｄｏｍ  Ａｃｃｅｓｓ  Ｍｅｍｏｒｙ）を含む可能性があり、不揮発性メモリ（ｎｏｎ−ｖｏｌａｔｉｌｅ  ｍｅｍｏｒｙ）例えば少なくとも一つの磁気ディスクメモリを含む可能性もある。少なくとも一つのネットワークインタフェース７０５（有線又は無線であってもよい）を介して少なくとも一つの他のネットワーク要素との通信接続を実現する。
【０２３２】
いくつかの実施形態では、メモリ７０６はプログラム７０６１を記憶し、プロセッサ７０２は上記の本発明の実施例によるデータを伝送するための受信側装置側の方法を実行するためのプログラム７０６１を実行し、簡潔にするために、ここで説明を省略する。
【０２３３】
図８は本発明の他の実施例による送信側装置の構造図である。該送信側装置は少なくとも一つのプロセッサ８０２（例えばＣＰＵ）、少なくとも一つのネットワークインタフェース８０５又は他の通信インタフェース、メモリ８０６、及びこれらの装置の間の接続通信を実現するための少なくとも一つの通信バス８０３を備える。プロセッサ８０２はメモリ８０６に記憶された実行可能モジュール、例えばコンピュータプログラムを実行することに用いられる。メモリ８０６は高速ランダムメモリ（ＲＡＭ：Ｒａｎｄｏｍ  Ａｃｃｅｓｓ  Ｍｅｍｏｒｙ）を含む可能性があり、不揮発性メモリ（ｎｏｎ−ｖｏｌａｔｉｌｅ  ｍｅｍｏｒｙ）例えば少なくとも一つの磁気ディスクメモリを含む可能性もある。少なくとも一つのネットワークインタフェース８０５（有線又は無線であってもよい）を介して少なくとも一つの他のネットワーク要素との通信接続を実現する。
【０２３４】
いくつかの実施形態では、メモリ８０６はプログラム８０６１を記憶し、プロセッサ８０２は上記の本発明の実施例によるデータを伝送するための送信側装置側の方法を実行するためのプログラム８０６１を実行し、簡潔にするために、ここで説明を省略する。
【０２３５】
理解すべきものとして、本明細書で用語「及び／又は」は関連するオブジェクトの関連関係を記述するためのものに過ぎず、３種類の関係が存在してもよいことを示し、Ａ及び／又はＢは、Ａが単独で存在すること、ＡとＢが同時に存在すること、Ｂが単独で存在することの３つの状況を示すことができる。また、文字「／」は、一般的に前後にある関連オブジェクトが「又は」の関係であることを示す。
【０２３６】
本発明の実施例では、上記各プロセスの番号の大きさが実行順序を意味せず、各プロセスの実行順序はその機能と内部ロジックによって確定されるべきであり、本発明の実施例の実施プロセスのいかなる限定を構成すべきではないと理解すべきである。
【０２３７】
当業者であれば、本明細書に開示された実施例と組み合わせて説明された各例のユニット及びアルゴリズムステップは、電子ハードウェア、又はコンピュータソフトウェアと電子ハードウェアとの組み合わせで実現されてもよいと理解できる。これらの機能がハードウェア又はソフトウェアで実行されるかどうかは技術的解決策の特定アプリケーションと設計制約条件に依存する。専門技術者は各特定のアプリケーションに対して異なる方法を使用して説明された機能を実現することができるが、このような実現は本発明の範囲を超えていると考えられるべきではない。
【０２３８】
当業者は便利且つ簡潔に説明するために、上述したシステム、装置とユニットの具体的な動作プロセスについて上記方法の実施例における対応するプロセスを参照でき、ここでは説明を省略することを明確に理解することができる。
【０２３９】
本出願が提供するいくつかの実施例では、開示されたシステム、装置及び方法は他の方式により実現されてもよいと理解すべきである。例えば、上述した装置の実施例は例示的なものに過ぎず、例えば、前記ユニットの区分はロジック機能的区分に過ぎず、実際に実施する時に他の区分方式もあり得る。例えば複数のユニット又は部材は組み合わせられてもよく、又は他のシステムに統合されてもよく、又はいくつかの特徴は無視されてもよく、又は実行されなくてもよい。また、示される又は議論される相互結合又は直接結合又は通信接続はいくつかのインターフェース、装置又はユニットを介する間接的結合又は通信接続であってもよく、電気的、機械的又は他の形態であってもよい。
【０２４０】
分離部材として説明された前記ユニットは物理的に分離するものであってもよく又は物理的に分離するものでなくてもよく、ユニットとして表示された部材は物理的ユニットであってもよく又は物理的ユニットでなくてもよく、即ち一つの箇所に位置してもよく、又は複数のネットワークユニットに分布してもよい。実際のニーズに応じてその中の一部又は全てのユニットを選択して本実施例の解決策の目的を達成することができる。
【０２４１】
また、本発明の各実施例における各機能ユニットは一つの処理ユニットに統合されてもよく、個々のユニットは単独で物理的に存在してもよく、二つ又は二つ以上のユニットは一つのユニットに統合されてもよい。
【０２４２】
前記機能はソフトウェア機能ユニットの形態で実現され且つ独立した製品として販売又は使用される場合、一つのコンピュータ読み取り可能な記憶媒体に格納されてもよい。このような理解に基づき、本発明の技術的解決策は本質的にソフトウェア製品の形態で実現されてもよく、又は従来技術に貢献する部分又は該技術的解決策の部分がソフトウェア製品の形態で実現されてもよく、該コンピュータソフトウェア製品は一つのコンピュータ装置（パーソナルコンピュータ、サーバ、又はネットワーク装置などあってもよい）に本発明の各実施例に記載の方法の全部又は一部のステップを実行させるためのいくつかの命令を含む記憶媒体に記憶される。前記記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０２４３】
以上は、本出願の具体的な実施形態に過ぎず、本出願の保護範囲はこれに制限されず、当業者が本出願に開示された技術範囲内で容易に想到し得る変化又は入れ替わりが全て本出願の保護範囲内に含まれるべきである。したがって、本出願の保護範囲は特許請求の範囲によって準拠するべきである。
【図１】
0006896847.tif 000010
【図２】
0006896847.tif 000011
【図３Ａ】
0006896847.tif 000012
【図３Ｂ】
0006896847.tif 000013
【図３Ｃ】
0006896847.tif 000014
【図３Ｄ】
0006896847.tif 000015
【図４】
0006896847.tif 000016
【図５】
0006896847.tif 000017
【図６】
0006896847.tif 000018
【図７】
0006896847.tif 000019
【図８】
0006896847.tif 000020